(57)【要約】  移動通信システムは、送信指向性を定めるプリコーダ行列を適用してマルチアンテナ伝送を行う。前記移動通信システムは、通信を制御するノードからの指示に応じて、前記ノードに所定のプリコーダ行列情報のフィードバックを開始するユーザ端末を有する。前記所定のプリコーダ行列情報は、前記ユーザ端末とは異なる他ユーザ端末への送信に適用される前記プリコーダ行列を決定するために使用される。前記ユーザ端末は、前記指示に応じて前記フィードバックを開始した後において、前記フィードバックを停止するか否かを切り替える制御部を有する。
2014073538.tif 000002
【特許請求の範囲】
【請求項１】
送信指向性を定めるプリコーダ行列を適用してマルチアンテナ伝送を行う移動通信システムであって、
通信を制御するノードからの指示に応じて、前記ノードに所定のプリコーダ行列情報のフィードバックを開始するユーザ端末を有し、
前記所定のプリコーダ行列情報は、前記ユーザ端末とは異なる他ユーザ端末への送信に適用される前記プリコーダ行列を決定するために使用され、
前記ユーザ端末は、前記指示に応じて前記フィードバックを開始した後において、前記フィードバックを停止するか否かを切り替える制御部を有することを特徴とする移動通信システム。
【請求項２】
前記ノードは、前記ユーザ端末と接続するセルを管理する基地局であり、
前記基地局に隣接する隣接基地局は、前記基地局と協調して下りリンクにおける前記マルチアンテナ伝送を行う協調伝送をサポートしており、
前記所定のプリコーダ行列情報は、前記隣接基地局において前記他ユーザ端末への送信に適用される前記プリコーダ行列を決定するために使用されることを特徴とする請求項１に記載の移動通信システム。
【請求項３】
前記制御部は、前記指示に応じて前記フィードバックを開始した後において、前記隣接基地局から１送信アンテナ分の無線信号のみを受信すると判断される場合に、前記フィードバックを停止することを特徴とする請求項２に記載の移動通信システム。
【請求項４】
前記制御部は、前記指示に応じて前記フィードバックを開始した後において、前記隣接基地局に時分割複信方式が適用されていると判断される場合に、前記フィードバックを停止することを特徴とする請求項２に記載の移動通信システム。
【請求項５】
前記所定のプリコーダ行列情報は、前記基地局により受信されて、前記基地局から前記隣接基地局へ基地局間インターフェイスを介して転送されるものであり、
前記制御部は、前記指示に応じて前記フィードバックを開始した後において、前記隣接基地局が前記基地局間インターフェイスをサポートしないと判断される場合に、前記フィードバックを停止することを特徴とする請求項２に記載の移動通信システム。
【請求項６】
前記ノードは、前記ユーザ端末と接続するセルを管理する基地局であり、
前記制御部は、前記指示に応じて前記フィードバックを開始した後において、前記基地局に隣接する隣接基地局が、前記基地局と協調して下りリンクにおける前記マルチアンテナ伝送を行う協調伝送をサポートしていないと判断される場合に、前記フィードバックを停止することを特徴とする請求項１に記載の移動通信システム。
【請求項７】
前記制御部は、前記指示に応じて前記フィードバックを開始した後において、前記フィードバックの停止が許可されることを前記ノードに確認した上で、前記フィードバックを停止することを特徴とする請求項１に記載の移動通信システム。
【請求項８】
前記制御部は、前記指示に応じて前記フィードバックを開始した後において、前記フィードバックを停止する場合に、フィードバック停止通知を前記ノードに送信する、又は無効値のフィードバックを行うことを特徴とする請求項１に記載の移動通信システム。
【請求項９】
前記ユーザ端末は、下りリンクにおける前記マルチアンテナ伝送において使用される送信アンテナ数毎に設けられ且つ前記所定のプリコーダ行列情報の候補を含む複数のコードブックを記憶する記憶部をさらに有し、
前記制御部は、前記指示に応じて前記フィードバックを開始した後において、前記フィードバックを継続する場合に、前記隣接基地局から受信する無線信号から把握される送信アンテナ数に基づいて、前記フィードバックに使用するコードブックを切り替えることを特徴とする請求項２に記載の移動通信システム。
【請求項１０】
前記制御部は、前記指示に応じて前記フィードバックを開始した後において、前記フィードバックを継続する場合に、前記隣接基地局から受信する無線信号から把握される無効な送信アンテナ番号をフィードバックし、
前記制御部は、有効な送信アンテナ番号のみを対象として、前記所定のプリコーダ行列情報の候補の中から、フィードバックする前記所定のプリコーダ行列情報を選択するための演算を行うことを特徴とする請求項２に記載の移動通信システム。
【請求項１１】
前記基地局及び前記隣接基地局は、前記フィードバックの停止に応じて、前記協調伝送の方式を切り替えることを特徴とする請求項２に記載の移動通信システム。
【請求項１２】
前記ノードは、前記ユーザ端末と接続するセルを管理する基地局であり、
前記基地局は、下りリンクにおける前記マルチアンテナ伝送により前記ユーザ端末及び前記他ユーザ端末を空間的に多重する空間多重をサポートしており、
前記所定のプリコーダ行列情報は、前記基地局において前記他ユーザ端末への送信に適用される前記プリコーダ行列を決定するために使用されることを特徴とする請求項１に記載の移動通信システム。
【請求項１３】
前記通信を制御するノードは、直接的な端末間通信であるＤ２Ｄ通信を制御する基地局であり、
前記所定のプリコーダ行列情報は、前記他ユーザ端末と前記Ｄ２Ｄ通信を行う第３のユーザ端末から前記他ユーザ端末への送信に適用される前記プリコーダ行列を決定するために使用され、
前記基地局は、前記所定のプリコーダ行列情報に基づいて決定された前記プリコーダ行列を示す情報を前記他ユーザ端末に送信することを特徴とする請求項１に記載の移動通信システム。
【請求項１４】
送信指向性を定めるプリコーダ行列を適用してマルチアンテナ伝送を行う移動通信システムにおけるユーザ端末であって、
通信を制御するノードからの指示に応じて、前記ノードに所定のプリコーダ行列情報のフィードバックを開始する制御部を有し、
前記所定のプリコーダ行列情報は、前記ユーザ端末とは異なる他ユーザ端末への送信に適用される前記プリコーダ行列を決定するために使用され、
前記制御部は、前記指示に応じて前記フィードバックを開始した後において、前記フィードバックを停止するか否かを切り替えることを特徴とするユーザ端末。
【請求項１５】
送信指向性を定めるプリコーダ行列を適用してマルチアンテナ伝送を行う移動通信システムにおけるユーザ端末に備えられるプロセッサであって、
前記プロセッサは、通信を制御するノードからの指示に応じて、前記ノードに所定のプリコーダ行列情報のフィードバックを開始し、
前記所定のプリコーダ行列情報は、前記ユーザ端末とは異なる他ユーザ端末への送信に適用される前記プリコーダ行列を決定するために使用され、
前記プロセッサは、前記指示に応じて前記フィードバックを開始した後において、前記フィードバックを停止するか否かを切り替えることを特徴とするプロセッサ。
【発明の詳細な説明】
【技術分野】
【０００１】
本発明は、マルチアンテナ伝送をサポートする移動通信システム、ユーザ端末、及びプロセッサに関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）で仕様が策定されているＬＴＥシステムは、下りリンク・マルチアンテナ伝送をサポートする（例えば、非特許文献１参照）。例えば、基地局は、一のユーザ端末に対してビームを向け、且つ他のユーザ端末に対してヌルを向けて送信を行うことができる。【０００３】
下りリンク・マルチアンテナ伝送をＦＤＤ方式で実現するために、ユーザ端末は、プリコーダ行列を示すプリコーダ行列情報を基地局にフィードバックする。ここで、プリコーダ行列は、下りリンクの送信指向性を定めるものである。【０００４】
また、３ＧＰＰでは、協調伝送（ＣｏＭＰ；Ｃｏｏｒｄｉｎａｔｅｄ  Ｍｕｌｔｉ−Ｐｏｉｎｔ）の標準化が進められている。ＣｏＭＰは、同一の場所に配置されたアンテナ群（基地局）を１つの「ポイント」と位置付け、複数のポイントが協調してユーザ端末との通信を行うものである。同一の無線リソース（時間・周波数リソース）を用いてユーザ端末との協調通信を行うポイント群は、ＣｏＭＰ協働セット（ＣｏＭＰ  ｃｏｏｐｅｒａｔｉｎｇ  ｓｅｔ）と称される。
【先行技術文献】
【非特許文献】
【０００５】
【非特許文献１】３ＧＰＰ技術仕様  「ＴＳ  ３６．３００  Ｖ１１．０．０」  （２０１１-１２）
【発明の概要】
【０００６】
ＣｏＭＰの一種として、複数の基地局が協調してビームフォーミング／ヌルステアリングによる空間多重伝送を行うＣＢ（Ｃｏｏｒｄｉｎａｔｅｄ  Ｂｅａｍｆｏｒｍｉｎｇ）−ＣｏＭＰが検討されている。
【０００７】
しかしながら、ＣＢ−ＣｏＭＰにおいて、ユーザ端末は、通常のプリコーダ行列情報のフィードバックだけでなく、特殊なプリコーダ行列情報のフィードバックも行う必要があるため、フィードバックに伴う演算量及び無線リソースの消費量が増大する問題がある。
【０００８】
そこで、本発明は、効率的なフィードバックを実現可能とする移動通信システム、ユーザ端末、及びプロセッサを提供する。
【０００９】
一実施形態によれば、移動通信システムは、送信指向性を定めるプリコーダ行列を適用してマルチアンテナ伝送を行う。前記移動通信システムは、通信を制御するノードからの指示に応じて、前記ノードに所定のプリコーダ行列情報のフィードバックを開始するユーザ端末を有する。前記所定のプリコーダ行列情報は、前記ユーザ端末とは異なる他ユーザ端末への送信に適用される前記プリコーダ行列を決定するために使用される。前記ユーザ端末は、前記指示に応じて前記フィードバックを開始した後において、前記フィードバックを停止するか否かを切り替える制御部を有する。
【図面の簡単な説明】
【００１０】
【図１】ＬＴＥシステムの構成図である。
【図２】ＵＥのブロック図である。
【図３】ｅＮＢのブロック図である。
【図４】下りリンク・マルチアンテナ伝送に関連するブロック図である。
【図５】ＬＴＥシステムにおける無線インターフェイスのプロトコルスタック図である。
【図６】ＬＴＥシステムで使用される無線フレームの構成図である。
【図７】第１実施形態乃至第４実施形態に係る動作環境を示す図である。
【図８】第１実施形態乃至第４実施形態に係る動作環境を示す図である。
【図９】第１実施形態に係る動作シーケンス図である。
【図１０】停止判断処理（図９のステップＳ１４０）の処理フロー図である。
【図１１】第１実施形態に係る動作具体例を示すシーケンス図である。
【図１２】第２実施形態に係る動作シーケンス図である。
【図１３】第２実施形態の変更例に係る動作シーケンス図である。
【図１４】送信アンテナ数毎のコードブックの具体例を説明するための図である。
【図１５】第３実施形態に係る動作具体例を示すシーケンス図である。
【図１６】第４実施形態に係る動作具体例を示すシーケンス図である。
【図１７】その他の実施形態に係る動作環境を示す図である。
【図１８】その他の実施形態に係る動作環境を示す図である。
【図１９】その他の実施形態に係る動作環境（その１）を示す図である。
【図２０】その他の実施形態に係る動作環境（その１）を示す図である。
【図２１】その他の実施形態に係る動作環境（その２）を示す図である。
【図２２】その他の実施形態に係る動作環境（その２）を示す図である。
【発明を実施するための形態】
【００１１】
［実施形態の概要］
実施形態に係る移動通信システムは、送信指向性を定めるプリコーダ行列を適用してマルチアンテナ伝送を行う。前記移動通信システムは、通信を制御するノードからの指示に応じて、前記ノードに所定のプリコーダ行列情報のフィードバックを開始するユーザ端末を有する。前記所定のプリコーダ行列情報は、前記ユーザ端末とは異なる他ユーザ端末への送信に適用される前記プリコーダ行列を決定するために使用される。前記ユーザ端末は、前記指示に応じて前記フィードバックを開始した後において、前記フィードバックを停止するか否かを切り替える制御部を有する。これにより、基地局からの指示に応じて所定のプリコーダ行列情報のフィードバックを開始した後であっても、状況に応じて当該フィードバックを停止できるため、当該フィードバックに伴う演算量及び無線リソースの消費量を削減できる。
【００１２】
ここで、「通信を制御するノード」とは、基地局であってもよいし、直接的な端末間通信であるＤ２Ｄ通信を行う複数のユーザ端末を代表して基地局との通信を行うユーザ端末（いわゆるアンカー端末）であってもよい。アンカー端末は、Ｄ２Ｄ通信のために基地局との通信を行うため、（間接的に）Ｄ２Ｄ通信を制御している。
【００１３】
実施形態では、前記ノードは、前記ユーザ端末と接続するセルを管理する基地局である。前記基地局に隣接する隣接基地局は、前記基地局と協調して下りリンクにおける前記マルチアンテナ伝送を行う協調伝送をサポートしている。前記所定のプリコーダ行列情報は、前記隣接基地局において前記他ユーザ端末への送信に適用される前記プリコーダ行列を決定するために使用される。これにより、基地局及び隣接基地局が協調して下りリンク・マルチアンテナ伝送を行う環境下で、フィードバックに伴う演算量及び無線リソースの消費量を削減できる。
【００１４】
実施形態では、前記制御部は、前記指示に応じて前記フィードバックを開始した後において、前記隣接基地局から１送信アンテナ分の無線信号のみを受信すると判断される場合に、前記フィードバックを停止する。シャドウイング等の影響で、ユーザ端末が隣接基地局から１送信アンテナ分の無線信号のみを受信する場合、所定のプリコーダ行列情報のフィードバックが不要になるため、当該フィードバックを停止することにより、当該フィードバックに伴う演算量及び無線リソースの消費量を効率的に削減できる。
【００１５】
実施形態では、前記制御部は、前記指示に応じて前記フィードバックを開始した後において、前記隣接基地局に時分割複信方式が適用されていると判断される場合に、前記フィードバックを停止する。隣接基地局に時分割複信方式が適用されている場合、所定のプリコーダ行列情報のフィードバックが不要になるため、当該フィードバックを停止することにより、当該フィードバックに伴う演算量及び無線リソースの消費量を効率的に削減できる。
【００１６】
実施形態では、前記所定のプリコーダ行列情報は、前記基地局により受信されて、前記基地局から前記隣接基地局へ基地局間インターフェイスを介して転送されるものである。前記制御部は、前記指示に応じて前記フィードバックを開始した後において、前記隣接基地局が前記基地局間インターフェイスをサポートしないと判断される場合に、前記フィードバックを停止する。隣接基地局が基地局間インターフェイスをサポートしない場合、所定のプリコーダ行列情報のフィードバックが不要になるため、当該フィードバックを停止することにより、当該フィードバックに伴う演算量及び無線リソースの消費量を効率的に削減できる。
【００１７】
実施形態では、前記ノードは、前記ユーザ端末と接続するセルを管理する基地局である。前記制御部は、前記指示に応じて前記フィードバックを開始した後において、前記基地局に隣接する隣接基地局が、前記基地局と協調して下りリンクにおける前記マルチアンテナ伝送を行う協調伝送をサポートしていないと判断される場合に、前記フィードバックを停止する。隣接基地局が協調伝送をサポートしていない場合、所定のプリコーダ行列情報のフィードバックが不要になるため、当該フィードバックを停止することにより、当該フィードバックに伴う演算量及び無線リソースの消費量を効率的に削減できる。
【００１８】
実施形態では、前記制御部は、前記指示に応じて前記フィードバックを開始した後において、前記フィードバックの停止が許可されることを前記ノードに確認した上で、前記フィードバックを停止する。これにより、ノードは、所定のプリコーダ行列情報のフィードバックが停止されることを認識できるため、適切な内部処理を行うことができる。
【００１９】
実施形態では、前記制御部は、前記指示に応じて前記フィードバックを開始した後において、前記フィードバックを停止する場合に、フィードバック停止通知を前記ノードに送信する、又は無効値のフィードバックを行う。これにより、ノードは、所定のプリコーダ行列情報のフィードバックが停止されたことを認識できるため、適切な内部処理を行うことができる。
【００２０】
実施形態では、前記ユーザ端末は、下りリンクにおける前記マルチアンテナ伝送において使用される送信アンテナ数毎に設けられ且つ前記所定のプリコーダ行列情報の候補を含む複数のコードブックを記憶する記憶部をさらに有する。前記制御部は、前記指示に応じて前記フィードバックを開始した後において、前記フィードバックを継続する場合に、前記隣接基地局から受信する無線信号から把握される送信アンテナ数に基づいて、前記フィードバックに使用するコードブックを切り替える。これにより、シャドウイング等の影響で、ユーザ端末が把握する送信アンテナ数が実際の送信アンテナ数よりも少ない場合に、ユーザ端末が把握する送信アンテナ数に対応するコードブックを使用することにより、フィードバックする所定のプリコーダ行列情報を選択するための演算量を効率的に削減できる。
【００２１】
実施形態では、前記制御部は、前記指示に応じて前記フィードバックを開始した後において、前記フィードバックを継続する場合に、前記隣接基地局から受信する無線信号から把握される無効な送信アンテナ番号をフィードバックする。前記制御部は、有効な送信アンテナ番号のみを対象として、前記所定のプリコーダ行列情報の候補の中から、フィードバックする前記所定のプリコーダ行列情報を選択するための演算を行う。これにより、フィードバックする所定のプリコーダ行列情報を選択するための演算量を効率的に削減できる。
【００２２】
実施形態では、前記基地局及び前記隣接基地局は、前記フィードバックの停止に応じて、前記協調伝送の方式を切り替える。これにより、所定のプリコーダ行列情報のフィードバックの停止に応じて、当該フィードバックを必要としない協調伝送の方式に切り替えることができる。
【００２３】
その他の実施形態では、前記ノードは、前記ユーザ端末と接続するセルを管理する基地局である。前記基地局は、下りリンクにおける前記マルチアンテナ伝送により前記ユーザ端末及び前記他ユーザ端末を空間的に多重する空間多重をサポートしている。前記所定のプリコーダ行列情報は、前記基地局において前記他ユーザ端末への送信に適用される前記プリコーダ行列を決定するために使用される。これにより、基地局がユーザ端末及び他ユーザ端末を空間的に多重する空間多重（ＭＵ−ＭＩＭＯ）を行う環境下で、フィードバックに伴う演算量及び無線リソースの消費量を削減できる。
【００２４】
その他の実施形態では、前記通信を制御するノードは、直接的な端末間通信であるＤ２Ｄ通信を制御する基地局である。前記所定のプリコーダ行列情報は、前記他ユーザ端末と前記Ｄ２Ｄ通信を行う第３のユーザ端末から前記他ユーザ端末への送信に適用される前記プリコーダ行列を決定するために使用される。前記基地局は、前記所定のプリコーダ行列情報に基づいて決定された前記プリコーダ行列を示す情報を前記他ユーザ端末に送信する。
【００２５】
実施形態に係るユーザ端末は、送信指向性を定めるプリコーダ行列を適用してマルチアンテナ伝送を行う移動通信システムにおいて用いられる。前記ユーザ端末は、通信を制御するノードからの指示に応じて、前記ノードに所定のプリコーダ行列情報のフィードバックを開始する制御部を有する。前記所定のプリコーダ行列情報は、前記ユーザ端末とは異なる他ユーザ端末への送信に適用される前記プリコーダ行列を決定するために使用される。前記制御部は、前記指示に応じて前記フィードバックを開始した後において、前記フィードバックを停止するか否かを切り替える。
【００２６】
実施形態に係るプロセッサは、送信指向性を定めるプリコーダ行列を適用してマルチアンテナ伝送を行う移動通信システムにおけるユーザ端末に備えられる。前記プロセッサは、通信を制御するノードからの指示に応じて、前記ノードに所定のプリコーダ行列情報のフィードバックを開始する。前記所定のプリコーダ行列情報は、前記ユーザ端末とは異なる他ユーザ端末への送信に適用される前記プリコーダ行列を決定するために使用される。前記プロセッサは、前記指示に応じて前記フィードバックを開始した後において、前記フィードバックを停止するか否かを切り替える。
【００２７】
［第１実施形態］
以下、図面を参照して、３ＧＰＰ規格に準拠して構成される移動通信システム（ＬＴＥシステム）に本発明を適用する場合の一実施形態を説明する。
【００２８】
（ＬＴＥシステム）
図１は、本実施形態に係るＬＴＥシステムの構成図である。
【００２９】
図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。Ｅ−ＵＴＲＡＮ１０は無線アクセスネットワークに相当し、ＥＰＣ２０はコアネットワークに相当する。
【００３０】
ＵＥ１００は、移動型の無線通信装置であり、接続を確立したセル（サービングセル）との無線通信を行う。ＵＥ１００はユーザ端末に相当する。
【００３１】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、セルを構成しており、自セルとの接続を確立したＵＥ１００との無線通信を行う。
【００３２】
なお、「セル」は、無線通信エリアの最小単位を示す用語として使用される他に、ＵＥ１００との無線通信を行う機能を示す用語としても使用される。
【００３３】
ｅＮＢ２００は、例えば、無線リソース管理（ＲＲＭ）機能と、ユーザデータのルーティング機能と、モビリティ制御及びスケジューリングのための測定制御機能と、を有する。
【００３４】
ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００と、ＯＡＭ４００（Ｏｐｅｒａｔｉｏｎ  ａｎｄ  Ｍａｉｎｔｅｎａｎｃｅ）と、を含む。
【００３５】
ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。
【００３６】
ｅＮＢ２００は、Ｘ２インターフェイスを介して相互に接続される。本実施形態において、Ｘ２インターフェイスは、基地局間インターフェイスに相当する。また、ｅＮＢ２００は、Ｓ１インターフェイスを介してＭＭＥ／Ｓ−ＧＷ３００と接続される。
【００３７】
ＯＡＭ４００は、オペレータによって管理されるサーバ装置であり、Ｅ−ＵＴＲＡＮ１０の保守及び監視を行う。
【００３８】
次に、ＵＥ１００及びｅＮＢ２００の構成を説明する。
【００３９】
図２は、ＵＥ１００のブロック図である。図２に示すように、ＵＥ１００は、複数のアンテナ１０１と、無線送受信機１１０と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。本実施形態において、メモリ１５０は記憶部に相当し、プロセッサ１６０は制御部に相当する。
【００４０】
ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００４１】
アンテナ１０１及び無線送受信機１１０は、無線信号の送受信に用いられる。無線送受信機１１０は、プロセッサ１６０が出力するベースバンド信号を無線信号に変換してアンテナ１０１から送信する。また、無線送受信機１１０は、アンテナ１０１が受信する無線信号をベースバンド信号に変換してプロセッサ１６０に出力する。
【００４２】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。
【００４３】
ＧＮＳＳ受信機１３０は、ＵＥ１００の地理的な位置を示す位置情報を得るために、ＧＮＳＳ信号を受信して、受信した信号をプロセッサ１６０に出力する。
【００４４】
バッテリ１４０は、ＵＥ１００の各ブロックに供給すべき電力を蓄える。
【００４５】
メモリ１５０は、プロセッサ１６０によって実行されるプログラムと、プロセッサ１６０による処理に使用される情報と、を記憶する。
【００４６】
プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００４７】
本実施形態では、プロセッサ１６０は、無線送受信機１１０が受信する信号（特に、参照信号）に基づいてチャネル状態情報（ＣＳＩ）を生成し、当該チャネル状態情報をサービングセル又は隣接セルにフィードバックする。チャネル状態情報は、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｏｒ）、ＣＱＩ（Ｃｈａｎｎｅｌ  Ｑｕａｌｉｔｙ  Ｉｎｄｉｃａｔｏｒ）などを含む。
【００４８】
なお、メモリ１５０は、ＰＭＩの候補のセット（コードブック）を保持しており、プロセッサ１６０は、コードブックの中から何れかのＰＭＩを選択してフィードバックする。
【００４９】
フィードバック対象となる周波数単位（対象周波数帯）としては、「下りリンク全帯域」又は「サブバンド」が規定されており、何れを用いるかはｅＮＢ２００からの指示に応じて定められる。サブバンドは、下りリンク全帯域を分割した周波数単位であり、複数リソースブロック分の帯域幅を有する。フィードバックされる情報（ＰＭＩ、ＲＩ、ＣＱＩなど）の詳細については後述する。
【００５０】
図３は、ｅＮＢ２００のブロック図である。図３に示すように、ｅＮＢ２００は、複数のアンテナ２０１と、無線送受信機２１０と、ネットワークインターフェイス２２０と、メモリ２３０と、プロセッサ２４０と、を有する。メモリ２３０及びプロセッサ２４０は、制御部を構成する。なお、メモリ２３０をプロセッサ２４０と一体化し、このセット（すなわち、チップセット）をプロセッサとしてもよい。
【００５１】
アンテナ２０１及び無線送受信機２１０は、無線信号の送受信に用いられる。無線送受信機２１０は、プロセッサ２４０が出力するベースバンド信号を無線信号に変換してアンテナ２０１から送信する。また、無線送受信機２１０は、アンテナ２０１が受信する無線信号をベースバンド信号に変換してプロセッサ２４０に出力する。
【００５２】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信と、Ｓ１インターフェイス上で行う通信と、に用いられる。
【００５３】
メモリ２３０は、プロセッサ２４０によって実行されるプログラムと、プロセッサ２４０による処理に使用される情報と、を記憶する。
【００５４】
プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００５５】
本実施形態では、プロセッサ２４０は、プリコーダ行列及びランクを適用して下りリンク・マルチアンテナ伝送を行う。図４は、下りリンク・マルチアンテナ伝送に関連するプロセッサ２４０のブロック図である。各ブロックの詳細は例えば３ＧＰＰ  ＴＳ  ３６．２１１に記載されているが、ここではその概要を説明する。
【００５６】
図４に示すように、物理チャネル上で送信すべき１つ又は２つのコードワードは、スクランブルされ、かつ変調シンボルに変調された後、レイヤマッパ２４１によって複数のレイヤにマッピングされる。コードワードは、誤り訂正のデータ単位である。ランク（レイヤ数）は、フィードバックされるＲＩに基づいて定められる。
【００５７】
プリコーダ２４２は、プリコーダ行列を用いて、各レイヤの変調シンボルをプリコーディングする。プリコーダ行列は、フィードバックされるＰＭＩに基づいて定められる。プリコーディングされた変調シンボルは、リソースエレメントにマッピングされ、かつ時間領域のＯＦＤＭ信号に変換されて、各アンテナポートに出力される。
【００５８】
図５は、ＬＴＥシステムにおける無線インターフェイスのプロトコルスタック図である。
【００５９】
図５に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉａ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００６０】
物理レイヤは、符号化・復号、変調・復調、アンテナマッピング・デマッピング、及びリソースマッピング・デマッピングを行う。ＵＥ１００の物理レイヤとｅＮＢ２００の物理レイヤとの間では、物理チャネルを介してデータが伝送される。
【００６１】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式など）、及び割当リソースブロックを決定するスケジューラを含む。
【００６２】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００６３】
ＰＤＣＰレイヤは、ヘッダ圧縮・伸張、及び暗号化・復号化を行う。
【００６４】
ＲＲＣレイヤは、制御プレーンでのみ定義される。ＵＥ１００のＲＲＣレイヤとｅＮＢ２００のＲＲＣレイヤとの間では、各種設定のための制御メッセージ（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間にＲＲＣ接続がある場合、ＵＥ１００は接続状態（ＲＲＣ  Ｃｏｎｎｅｃｔｅｄ  Ｓｔａｔｅ）であり、そうでない場合、ＵＥ１００はアイドル状態（ＲＲＣ  Ｉｄｌｅ  Ｓｔａｔｅ）である。
【００６５】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理などを行う。
【００６６】
図６は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００６７】
複信方式としては、ＦＤＤ（Ｆｒｅｑｕｅｎｃｙ  Ｄｉｖｉｓｉｏｎ  Ｄｕｐｌｅｘ）方式又はＴＤＤ（Ｔｉｍｅ  Ｄｉｖｉｓｉｏｎ  Ｄｕｐｌｅｘ）方式が使用されるが、本実施形態では主としてＦＤＤ方式を想定する。
【００６８】
図６に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各シンボルの先頭には、サイクリックプレフィックス（ＣＰ）と呼ばれるガード区間が設けられる。リソースブロックは、周波数方向に複数個のサブキャリアを含む。１つのサブキャリア及び１つのシンボルにより構成される無線リソース単位はリソースエレメント（ＲＥ）と称される。
【００６９】
ＵＥ１００に割り当てられる無線リソースのうち、周波数リソースはリソースブロックにより特定でき、時間リソースはサブフレーム（又はスロット）により特定できる。
【００７０】
下りリンクにおいて、各サブフレームの先頭数シンボルの区間は、主に物理下りリンク制御チャネル（ＰＤＣＣＨ）として使用される制御領域である。また、各サブフレームの残りの区間は、主に物理下りリンク共有チャネル（ＰＤＳＣＨ）として使用できる領域である。さらに、各サブフレームには、セル固有参照信号（ＣＲＳ）などの参照信号が分散して配置される。
【００７１】
ＰＤＣＣＨは、制御情報を搬送する。制御情報は、例えば、上りリンクＳＩ（Ｓｃｈｅｄｕｌｉｎｇ  Ｉｎｆｏｒｍａｔｉｏｎ）、下りリンクＳＩ、ＴＰＣビットである。上りリンクＳＩは上りリンクの無線リソースの割当てを示す情報であり、下りリンクＳＩは、下りリンクの無線リソースの割当てを示す情報である。ＴＰＣビットは、上りリンクの送信電力の増減を指示する情報である。
【００７２】
ＰＤＳＣＨは、制御情報及び／又はユーザデータを搬送する。例えば、下りリンクのデータ領域は、ユーザデータにのみ割当てられてもよく、ユーザデータ及び制御情報が多重されるように割当てられてもよい。
【００７３】
上りリンクにおいて、各サブフレームにおける周波数方向の両端部は、主に物理上りリンク制御チャネル（ＰＵＣＣＨ）として使用される制御領域である。また、各サブフレームにおける周波数方向の中央部は、主に物理上りリンク共有チャネル（ＰＵＳＣＨ）として使用できる領域である。
【００７４】
ＰＵＣＣＨは、制御情報を搬送する。制御情報は、例えば、ＣＱＩ、ＰＭＩ、ＲＩ、ＳＲ（Ｓｃｈｅｄｕｌｉｎｇ  Ｒｅｑｕｅｓｔ）、ＡＣＫ／ＮＡＣＫなどである。
【００７５】
ＣＱＩは、下りリンクの受信状態に基づく、下りリンクで用いるのに好ましい変調及び符号化方式（すなわち、推奨ＭＣＳ）を示す情報（インデックス）である。
【００７６】
ＰＭＩは、下りリンクで用いるのに好ましいプリコーダ行列を示す情報（インデックス）である。言い換えると、ＰＭＩは、当該ＰＭＩの送信元のＵＥに対してビームが向くプリコーダ行列を示す。例えば、ＵＥ１００は、自身の受信状態が改善されるように、ｅＮＢ２００にフィードバックするＰＭＩを選択する。
【００７７】
ＲＩは、下りリンクで用いるのに好ましいランクを示す情報（インデックス）である。例えば、ＵＥ１００は、自身の受信状態に相応しいランクが適用されるように、ｅＮＢ２００にフィードバックするＰＭＩを選択する。
【００７８】
ＳＲは、上りリンクの無線リソースの割当てを要求する情報である。
【００７９】
ＡＣＫ／ＮＡＣＫは、下りリンクの物理チャネル（例えば、ＰＤＳＣＨ）を介して送信される信号のデコードに成功したか否かを示す情報である。
【００８０】
ＰＵＳＣＨは、制御情報及び／又はユーザデータを搬送する物理チャネルである。例えば、上りリンクのデータ領域は、ユーザデータにのみ割当てられてもよく、ユーザデータ及び制御情報が多重されるように割当てられてもよい。
【００８１】
（第１実施形態に係る動作）
以下、本実施形態に係る動作について説明する。図７及び図８は、本実施形態に係る動作環境を示す図である。図７及び図８において、ｅＮＢ２００−１及びｅＮＢ２００−２は、互いに隣接するセルを構成する、すなわち隣接関係にある。
【００８２】
図７に示すように、ＵＥ１００−１は、ｅＮＢ２００−１のセルとの接続を確立している。すなわち、ＵＥ１００−１は、ｅＮＢ２００−１のセルをサービングセルとして通信を行う。ＵＥ１００−１は、ｅＮＢ２００−１及びｅＮＢ２００−２のそれぞれのセルの境界領域に位置している。このような場合、通常、ＵＥ１００−１は、ｅＮＢ２００−２のセルからの干渉の影響を受ける。
【００８３】
ＵＥ１００−２は、ｅＮＢ２００−２のセルとの接続を確立している。すなわち、ＵＥ１００−２は、ｅＮＢ２００−２のセルをサービングセルとして通信を行う。図７ではＵＥ１００−２を１つのみ図示しているが、複数のＵＥ１００−２がｅＮＢ２００−２のセルとの接続を確立していてもよい。
【００８４】
ｅＮＢ２００−１及びｅＮＢ２００−２は、セル端に位置するＵＥ１００−１のスループットを改善するために、ＣＢ−ＣｏＭＰを行う。ＣＢ−ＣｏＭＰにおいて、ＵＥ１００−１のサービングセルは「アンカーセル」と称されることがある。ＣＢ−ＣｏＭＰにおいて、主な干渉源となるｅＮＢ２００−２は、ＵＥ１００−１に与える干渉の影響を小さくするように送信指向性を調整する。
【００８５】
ＣＢ−ＣｏＭＰの対象となるＵＥ１００−１は、ｅＮＢ２００−１からの指示に応じて、ｅＮＢ２００−１に対する通常のフィードバック（ＰＭＩ、ＲＩ、及びＣＱＩ）に加えて、特殊なフィードバックを行う。本実施形態では、ＵＥ１００−１は、ｅＮＢ２００−１を介して、特殊なＰＭＩをｅＮＢ２００−２にフィードバックする。ただし、ＵＥ１００−１は、ｅＮＢ２００−１を介することなく、特殊なＰＭＩをｅＮＢ２００−２に直接的にフィードバックしてもよい。
【００８６】
通常のＰＭＩは、ｅＮＢ２００−１からＵＥ１００−１への送信時にＵＥ１００−１にビームが向くプリコーダ行列を示す情報（インデックス）である。ＵＥ１００−１は、ｅＮＢ２００−１から受信する参照信号などに基づいて、ｅＮＢ２００−１からの受信レベルが向上するように、通常のＰＭＩのフィードバックを行う。
【００８７】
特殊なＰＭＩは、ｅＮＢ２００−２からＵＥ１００−１への送信時にＵＥ１００−１にヌルが向くプリコーダ行列を示す情報（インデックス）である。このようなＰＭＩは、ＢＣ（Ｂｅｓｔ  Ｃｏｍｐａｎｉｏｎ）−ＰＭＩと称される。ＵＥ１００−１は、ｅＮＢ２００−２から受信する参照信号などに基づいて、ｅＮＢ２００−２からの受信レベル（すなわち、干渉レベル）が低下するように、ＢＣ−ＰＭＩのフィードバックを行う。本実施形態において、ＢＣ−ＰＭＩは、所定のプリコーダ行列情報に相当する。
【００８８】
一方、ＵＥ１００−２は、ｅＮＢ２００−２に対する通常のフィードバック（ＰＭＩ、ＲＩ、及びＣＱＩ）を行う。
【００８９】
ｅＮＢ２００−２は、ＵＥ１００−１からのＢＣ−ＰＭＩと一致するＰＭＩをフィードバックする自セル内のＵＥ１００−２に対して、ＵＥ１００−１と同一の無線リソースを割り当てる。ここで、ｅＮＢ２００−２は、ＵＥ１００−１のスケジューリング情報を動的又は準静的にｅＮＢ２００−１と共有していることを前提とする。そして、ｅＮＢ２００−２は、当該一致するＰＭＩに従って、ＵＥ１００−２への送信を行う。
【００９０】
その結果、図８に示すように、ｅＮＢ２００−２は、ＵＥ１００−１にヌルを向けつつ、ＵＥ１００−２にビームを向けて、ＵＥ１００−２への送信を行うことができる。これにより、ＵＥ１００−２をＵＥ１００−１と空間的に多重（分離）できるため、ＵＥ１００−１に対する干渉を抑圧し、ＵＥ１００−１のスループットを改善できる。なお、ｅＮＢ２００−１は、ＵＥ１００−１からフィードバックされた通常のＰＭＩに従ってＵＥ１００−１への送信を行う。その結果、ｅＮＢ２００−１は、ＵＥ１００−１にビームを向けることができる。
【００９１】
ただし、ｅＮＢ２００−２は、ＵＥ１００−１からのＢＣ−ＰＭＩと一致するＰＭＩをフィードバックする自セル内のＵＥ１００−２が存在しない場合には、ＵＥ１００−１と同一の無線リソースへの割当を行わない、又は一致していないＰＭＩであっても割当を行う、の２通りの動作が考えられる。しかしながら、何れの動作もリソース利用効率向上及び干渉抑圧の観点から好ましくない。
【００９２】
本実施形態では、ＵＥ１００−２への送信に適用するプリコーダ行列の選択肢を増やすために、ＵＥ１００−１は、複数のＢＣ−ＰＭＩをフィードバックする。例えば、ＵＥ１００−１は、ｅＮＢ２００−２からの干渉レベルが閾値未満の複数のＰＭＩをＢＣ−ＰＭＩとして選択してフィードバックする。或いは、ＵＥ１００−１は、ｅＮＢ２００−２からの干渉レベルが最も低い方から所定数のＰＭＩをＢＣ−ＰＭＩとして選択してフィードバックする。
【００９３】
この場合、ｅＮＢ２００−２は、ＵＥ１００−１からの複数のＢＣ−ＰＭＩの何れかと一致するＰＭＩをフィードバックする自セル内のＵＥ１００−２に対して、ＵＥ１００−１と同一の無線リソースを割り当てる。そして、ｅＮＢ２００−２は、当該一致するＰＭＩに従ってＵＥ１００−２への送信を行う。
【００９４】
このように、ＵＥ１００−１が、通常のＰＭＩだけでなく、複数のＢＣ−ＰＭＩをフィードバックすることにより、ｅＮＢ２００−２においてＢＣ−ＰＭＩ及びＰＭＩが一致する確率を高めることができる。しかしながら、ＢＣ−ＰＭＩのフィードバックによる演算量及び無線リソースの消費量は増大する。
【００９５】
そこで、ＵＥ１００−１は、ｅＮＢ２００−１からの指示に応じてＢＣ−ＰＭＩのフィードバックを開始した後において、ＢＣ−ＰＭＩのフィードバックを停止するか否かを切り替える。本実施形態では、ＢＣ−ＰＭＩのフィードバックを停止するか否かを判断する判断主体はＵＥ１００−１である。ＢＣ−ＰＭＩのフィードバックを状況に応じて停止することにより、ＢＣ−ＰＭＩのフィードバックに伴う演算量及び無線リソースの消費量を削減できる。
【００９６】
図９は、本実施形態に係る動作シーケンス図である。
【００９７】
図９に示すように、ステップＳ１１０において、ｅＮＢ２００−１は、ＢＣ−ＰＭＩのフィードバックを開始（ＯＮ）するようＵＥ１００−１に指示する。当該指示は、ＲＲＣレイヤで送信されるＲＲＣメッセージ（ＢＣ−ＰＭＩ  Ｃｏｎｆｉｇ．メッセージ）であってもよく、ＭＡＣレイヤで送信されるＭＡＣ制御要素（ＢＣ−ＰＭＩ  Ｒｅｑｕｅｓｔ）であってもよい。或いは、当該指示は、システム情報として送信されてもよい。システム情報は、論理チャネルの一種であるＢＣＣＨで伝送される。システム情報のうちマスタ情報ブロック（ＭＩＢ）は、トランスポートチャネルの一種であるＢＣＨにマッピングされる。システム情報のうちシステム情報ブロック（ＳＩＢ）は、トランスポートチャネルの一種であるＤＬ−ＳＣＨにマッピングされる。本実施形態では、ｅＮＢ２００−１は、ＢＣ−ＰＭＩ  Ｃｏｎｆｉｇ．メッセージにより、ＢＣ−ＰＭＩのフィードバックを開始（ＯＮ）するようＵＥ１００−１に指示する。
【００９８】
ステップＳ１２０において、ＵＥ１００−１は、ｅＮＢ２００−１からの指示に応じてＢＣ−ＰＭＩのフィードバックを開始（ＯＮ）する。本実施形態では、ＢＣ−ＰＭＩは、ｅＮＢ２００−１により受信されて、ｅＮＢ２００−１からＸ２インターフェイス上でｅＮＢ２００−２に転送される。
【００９９】
ステップＳ１３０において、ｅＮＢ２００−２は、システム情報を送信する。本実施形態では、ｅＮＢ２００−２が送信するシステム情報は、ｅＮＢ２００−２の能力を示すＣａｐａｂｉｌｉｔｙ情報を含む。Ｃａｐａｂｉｌｉｔｙ情報は、ｅＮＢ２００−２に適用されている複信方式を示す第１の情報、ｅＮＢ２００−２におけるＸ２インターフェイスのサポート有無を示す第２の情報、及びｅＮＢ２００−２におけるＢＣ−ＰＭＩのサポート有無を示す第３の情報を含む。第３の情報としては、ｅＮＢ２００−２が準拠するリリース番号を使用できる。少なくともリリース１０以前のｅＮＢ２００−２はＢＣ−ＰＭＩをサポートしていないためである。第２の情報としては、リリース番号に加えて、ｅＮＢ２００−２の種別を示す情報を使用できる。リリース８又は９のホーム基地局（ＨｅＮＢ）はＸ２インターフェイスをサポートしていないためである。
【０１００】
ステップＳ１４０において、ＵＥ１００−１は、ｅＮＢ２００−２から受信するシステム情報、及びｅＮＢ２００−２から受信する参照信号（例えば、ＣＲＳ；Ｃｅｌｌ  Ｒｅｆｅｒｅｎｃｅ  Ｓｉｇｎａｌ）の少なくとも一方に基づいて、ＢＣ−ＰＭＩのフィードバックを停止（ＯＦＦ）するか否かを判断する。停止判断処理の詳細については後述する。ここでは、ＵＥ１００−１がＢＣ−ＰＭＩのフィードバックを停止（ＯＦＦ）すると判断したと仮定して、説明を進める。
【０１０１】
ステップＳ１５０において、ＵＥ１００−１は、ステップＳ１１０でのｅＮＢ２００−１からの設定を上書きして、ＢＣ−ＰＭＩのフィードバックを停止（ＯＦＦ）するよう設定する。
【０１０２】
ステップＳ１６０において、ＵＥ１００−１は、ＢＣ−ＰＭＩのフィードバック停止通知をｅＮＢ２００−１に送信する。或いは、ＵＥ１００−１は、無効値（Ｎｕｌｌ値）のフィードバックを行ってもよい。これにより、ｅＮＢ２００−１は、ＢＣ−ＰＭＩのフィードバックが停止されたことを認識できるため、適切な内部処理を行うことができる。
【０１０３】
ただし、ＵＥ１００−１は、ステップＳ１６０の処理を省略してもよい。この場合、ｅＮＢ２００−１は、例えばＢＣ−ＰＭＩのフィードバックのタイムアウトを検知して、ＢＣ−ＰＭＩのフィードバックが停止されたことを認識する。
【０１０４】
次に、上述した停止判断処理（ステップＳ１４０）の詳細について説明する。図１０は、停止判断処理（ステップＳ１４０）の処理フロー図である。
【０１０５】
図１０に示すように、ステップＳ１４１において、ＵＥ１００−１は、ｅＮＢ２００−２（隣接基地局）からのシステム情報を取得する。
【０１０６】
ステップＳ１４２において、ＵＥ１００−１は、ステップＳ１４１で取得したシステム情報に基づいて、ｅＮＢ２００−２に適用されている複信方式が時分割複信（ＴＤＤ）方式であるか否かを判定する。ステップＳ１４２の判定結果が「Ｙｅｓ」である場合、ステップＳ１４６において、ＵＥ１００−１は、ＢＣ−ＰＭＩのフィードバックを停止すると判断する。ｅＮＢ２００−２に適用されている複信方式がＴＤＤ方式である場合、伝搬路の可逆性を利用してｅＮＢ２００−２でＵＥ１００−１のチャネル状態情報（ＣＳＩ）を得ることができ、ＢＣ−ＰＭＩのフィードバックが不要になるためである。
【０１０７】
ステップＳ１４３において、ＵＥ１００−１は、ｅＮＢ２００−２から１送信アンテナ分の無線信号のみを受信するか否かを判定する。具体的には、ｅＮＢ２００−２は送信アンテナ（アンテナポート）毎に異なる参照信号を送信しているため、ＵＥ１００−１は、ｅＮＢ２００−２から受信する参照信号に基づいて、ｅＮＢ２００−２から１送信アンテナ分の無線信号のみを受信するか否かを判定できる。ステップＳ１４３の判定結果が「Ｙｅｓ」である場合、ステップＳ１４６において、ＵＥ１００−１は、ＢＣ−ＰＭＩのフィードバックを停止すると判断する。ＵＥ１００−１がｅＮＢ２００−２から１送信アンテナ分の無線信号のみを受信する場合、ｅＮＢ２００−２とＵＥ１００−１との間で下りリンク・マルチアンテナ伝送を適用できず、ＢＣ−ＰＭＩのフィードバックが不要になるためである。
【０１０８】
ステップＳ１４４において、ＵＥ１００−１は、ステップＳ１４１で取得したシステム情報に基づいて、ｅＮＢ２００−２がＸ２インターフェイスをサポートしているか否かを判定する。ステップＳ１４４の判定結果が「Ｙｅｓ」である場合、ステップＳ１４６において、ＵＥ１００−１は、ＢＣ−ＰＭＩのフィードバックを停止すると判断する。ｅＮＢ２００−２がＸ２インターフェイスをサポートしていない場合、ＢＣ−ＰＭＩをＸ２インターフェイス上で転送できず、ＢＣ−ＰＭＩのフィードバックが不要になるためである。
【０１０９】
ステップＳ１４５において、ＵＥ１００−１は、ステップＳ１４１で取得したシステム情報に基づいて、ｅＮＢ２００−２がＢＣ−ＰＭＩをサポートしているか否かを判定する。ステップＳ１４５の判定結果が「Ｙｅｓ」である場合、ステップＳ１４６において、ＵＥ１００−１は、ＢＣ−ＰＭＩのフィードバックを停止すると判断する。ｅＮＢ２００−２がＢＣ−ＰＭＩをサポートしていない場合（すなわち、ＣＢ−ＣｏＭＰをサポートしていない場合）、ＢＣ−ＰＭＩのフィードバックが不要になるためである。
【０１１０】
本処理フローは、ＢＣ−ＰＭＩのフィードバックを開始した後においてＢＣ−ＰＭＩのフィードバックを停止するか否かの判断を行うものである。しかしながら、本フローを一部変更することにより、ＢＣ−ＰＭＩのフィードバックを停止した後においてＢＣ−ＰＭＩのフィードバックを開始（再開）するか否かの判断に本フローを適用できる。具体的には、本フローの「終了」を「ＢＣ−ＰＭＩのフィードバック再開（ＯＮ）」と読み替え、本フローのステップＳ１４６を「終了」と読み替えればよい。
【０１１１】
図１１は、本実施形態に係る動作具体例を示すシーケンス図である。ここでは、送信アンテナ数に基づくフィードバックＯＮ／ＯＦＦ判断を主として説明する。また、上述した動作については説明を適宜省略する。
【０１１２】
図１１に示すように、ステップＳ１１０において、ｅＮＢ２００−１は、ＢＣ−ＰＭＩのフィードバックを開始（ＯＮ）するようＵＥ１００−１に指示する。
【０１１３】
ステップＳ１１１において、ｅＮＢ２００−２は、２送信アンテナのそれぞれから参照信号を送信する。これらの参照信号はシャドウイングの影響を受けずに、ＵＥ１００−１は２送信アンテナ分の参照信号を受信する。
【０１１４】
ステップＳ１２０において、ＵＥ１００−１は、ｅＮＢ２００−１からの指示に応じてＢＣ−ＰＭＩのフィードバックを開始（ＯＮ）する。
【０１１５】
ステップＳ１２１において、ｅＮＢ２００−２は、２送信アンテナのそれぞれから参照信号を送信する。これらの参照信号はシャドウイングの影響を受けて、ＵＥ１００−１は１送信アンテナ分の参照信号のみを受信する。
【０１１６】
ステップＳ１４０において、ＵＥ１００−１は、ｅＮＢ２００−２から受信する参照信号に基づいて、ＢＣ−ＰＭＩのフィードバックを停止（ＯＦＦ）するか否かを判断する。ＵＥ１００−１は、ｅＮＢ２００−２が２アンテナ送信を行っているにもかかわらず、１送信アンテナ分の参照信号のみを受信することから、ＢＣ−ＰＭＩのフィードバックを停止（ＯＦＦ）すると判断する。
【０１１７】
ステップＳ１６０において、ＵＥ１００−１は、ＢＣ−ＰＭＩのフィードバック停止通知をｅＮＢ２００−１に送信する。或いは、ＵＥ１００−１は、無効値（Ｎｕｌｌ値）のフィードバックを行ってもよい。
【０１１８】
ただし、ＵＥ１００−１は、ステップＳ１６０の処理を省略してもよい。この場合、ｅＮＢ２００−１は、ＢＣ−ＰＭＩのフィードバックが停止されたことを認識する。
【０１１９】
ステップＳ１６１において、ｅＮＢ２００−２は、２送信アンテナのそれぞれから参照信号を送信する。これらの参照信号はシャドウイングの影響を受けずに、ＵＥ１００−１は２送信アンテナ分の参照信号を受信する。
【０１２０】
ステップＳ１７０において、ＵＥ１００−１は、ｅＮＢ２００−２から受信する参照信号に基づいて、ＢＣ−ＰＭＩのフィードバックを再開（ＯＮ）するか否かを判断する。ＵＥ１００−１は、ｅＮＢ２００−２が２アンテナ送信を行っており、且つ、２送信アンテナ分の参照信号を受信することから、ＢＣ−ＰＭＩのフィードバックを再開（ＯＮ）すると判断する。
【０１２１】
ステップＳ１８０において、ＵＥ１００−１は、ＢＣ−ＰＭＩのフィードバックを再開（ＯＮ）する。
【０１２２】
［第２実施形態］
以下、第２実施形態について、上述した第１実施形態との相違点を主として説明する。
【０１２３】
第１実施形態では、ＢＣ−ＰＭＩのフィードバックを停止するか否かを判断する判断主体はＵＥ１００−１であった。これに対し、第２実施形態では、ＢＣ−ＰＭＩのフィードバックを停止するか否かを判断する判断主体はｅＮＢ２００−１である。
【０１２４】
図１２は、本実施形態に係る動作シーケンス図である。第１実施形態と同様の動作については説明を適宜省略する。
【０１２５】
図１２に示すように、ステップＳ２１０において、ｅＮＢ２００−１は、ＢＣ−ＰＭＩのフィードバックを開始（ＯＮ）するようＵＥ１００−１に指示する。
【０１２６】
ステップＳ２２０において、ＵＥ１００−１は、ｅＮＢ２００−１からの指示に応じてＢＣ−ＰＭＩのフィードバックを開始（ＯＮ）する。
【０１２７】
ステップＳ２３０において、ｅＮＢ２００−２は、基地局情報をＸ２インターフェイス上又はＳ１インターフェイス上でｅＮＢ２００−１に送信する。本実施形態では、ｅＮＢ２００−２が送信する基地局情報は、ｅＮＢ２００−２の能力を示すＣａｐａｂｉｌｉｔｙ情報を含む。Ｃａｐａｂｉｌｉｔｙ情報は、ｅＮＢ２００−２に適用されている複信方式を示す第１の情報、ｅＮＢ２００−２におけるＸ２インターフェイスのサポート有無を示す第２の情報、ｅＮＢ２００−２におけるＢＣ−ＰＭＩのサポート有無を示す第３の情報を含む。第３の情報としては、ｅＮＢ２００−２が準拠するリリース番号を使用できる。
【０１２８】
ステップＳ２４０において、ｅＮＢ２００−１は、ｅＮＢ２００−２から受信する基地局情報、及びＵＥ１００−１から受信するＢＣ−ＰＭＩに基づいて、ＢＣ−ＰＭＩのフィードバックを停止（ＯＦＦ）するか否かを判断する。当該判断には、第１実施形態と同様の停止判断処理フロー（図１０参照）が適用できる。ｅＮＢ２００−１は、例えばＵＥ１００−１から受信するＢＣ−ＰＭＩが異常値である場合に、ＵＥ１００−１がｅＮＢ２００−２から１送信アンテナ分の無線信号しか受信していないと判定する。ここでは、ｅＮＢ２００−１がＢＣ−ＰＭＩのフィードバックを停止（ＯＦＦ）すると判断したと仮定して、説明を進める。
【０１２９】
ステップＳ２５０において、ｅＮＢ２００−１は、ＢＣ−ＰＭＩのフィードバックを停止（ＯＦＦ）するようＵＥ１００−１に指示する。当該指示は、ＲＲＣレイヤで送信されるＲＲＣメッセージ（ＢＣ−ＰＭＩ  Ｃｏｎｆｉｇ．メッセージ）であってもよく、ＭＡＣレイヤで送信されるＭＡＣ制御要素であってもよい。本実施形態では、ｅＮＢ２００−１は、ＢＣ−ＰＭＩ  Ｃｏｎｆｉｇ．メッセージにより、ＢＣ−ＰＭＩのフィードバックを停止（ＯＦＦ）するようＵＥ１００−１に指示する。
【０１３０】
ステップＳ２６０において、ＵＥ１００−１は、ｅＮＢ２００−１からの指示に応じてＢＣ−ＰＭＩのフィードバックを停止（ＯＦＦ）するよう設定する。
【０１３１】
ステップＳ２７０において、ＵＥ１００−１は、ＢＣ−ＰＭＩのフィードバック停止通知をｅＮＢ２００−１に送信する。或いは、ＵＥ１００−１は、無効値（Ｎｕｌｌ値）のフィードバックを行ってもよい。ただし、ＵＥ１００−１は、ステップＳ２６０の処理を省略してもよい。
【０１３２】
なお、第２実施形態の変更例として、ＢＣ−ＰＭＩのフィードバックを停止するか否かの判断をＵＥ１００−１及びｅＮＢ２００−１の両方で行ってもよい。図１３は、第２実施形態の変更例に係る動作シーケンス図である。
【０１３３】
図１３に示すように、ステップＳ２１０乃至Ｓ２３２の処理は第１実施形態と同様にして行われる。ここでは、ＵＥ１００−１がＢＣ−ＰＭＩのフィードバックを停止（ＯＦＦ）すると判断したと仮定して、説明を進める。
【０１３４】
ステップＳ２３３において、ＵＥ１００−１は、ＢＣ−ＰＭＩのフィードバックの停止許可をｅＮＢ２００−１に要求する。
【０１３５】
ステップＳ２４０において、ｅＮＢ２００−１は、ＵＥ１００−１からの要求に応じて、ＢＣ−ＰＭＩのフィードバック停止（ＯＦＦ）を許可するか否かを判断する。ここでは、ｅＮＢ２００−１がＢＣ−ＰＭＩのフィードバック停止（ＯＦＦ）を許可したと仮定して、説明を進める。
【０１３６】
ステップＳ２４１において、ｅＮＢ２００−１は、ステップＳ２４０の判断結果をＵＥ１００−１に通知する。或いは、ｅＮＢ２００−１は、ＢＣ−ＰＭＩのフィードバック停止（ＯＦＦ）をＵＥ１００−１に指示してもよい。その後の処理（ステップＳ２６０及びＳ２７０）は第１実施形態と同様にして行われる。このように、本変更例では、ＵＥ１００−１は、ＢＣ−ＰＭＩのフィードバック停止が許可されることをｅＮＢ２００−１に確認した上で、ＢＣ−ＰＭＩのフィードバックを停止する。
【０１３７】
［第３実施形態］
以下、第３実施形態について、上述した第１実施形態及び第２実施形態との相違点を主として説明する。
【０１３８】
第１実施形態及び第２実施形態では、ＢＣ−ＰＭＩのフィードバックを停止（ＯＦＦ）することにより、演算量及び無線リソースの消費量を削減していた。
【０１３９】
これに対し、第３実施形態は、ＢＣ−ＰＭＩのフィードバックを継続（ＯＮ）する場合においても、演算量を削減することにより、ＵＥ１００−１の処理負荷及び消費電力を削減するものである。
【０１４０】
ＵＥ１００−１のメモリ１５０は、複数のコードブックを記憶する。複数のコードブックは、下りリンク・マルチアンテナ伝送に使用される送信アンテナ数毎に設けられており、ＢＣ−ＰＭＩの候補を含む。図１４は、送信アンテナ数毎のコードブックの具体例を説明するための図である。
【０１４１】
図１４に示すように、ＵＥ１００−１のメモリ１５０は、２送信アンテナ用のコードブック、４送信アンテナ用のコードブック、…を記憶する。２送信アンテナ用のコードブックは、アンテナ＃１及び＃２のそれぞれのウェイトを組み合わせたプリコーダ行列と、当該プリコーダ行列を示すインデックス（ＰＭＩ）と、を含む。４送信アンテナ用のコードブックは、アンテナ＃１乃至＃４のそれぞれのウェイトを組み合わせたプリコーダ行列と、当該プリコーダ行列を示すインデックス（ＰＭＩ）と、を含む。
【０１４２】
例えば、ＵＥ１００−１は、下りリンク・マルチアンテナ伝送に使用される送信アンテナ数に対応するコードブックに含まれる各プリコーダ行列について干渉レベルを計算し、最も干渉レベルが小さいプリコーダ行列を示すＰＭＩをＢＣ−ＰＭＩとして選択する。よって、各プリコーダ行列を構成するウェイトの数（アンテナ数）が多いほど、ＵＥ１００−１の演算量は多くなる。
【０１４３】
そこで、本実施形態では、シャドウイング等の影響で、ＵＥ１００−１が把握する送信アンテナ数が、実際の送信アンテナ数よりも少ない場合に、ＵＥ１００−１が把握する送信アンテナ数に対応するコードブックを使用する。すなわち、ＵＥ１００−１は、ｅＮＢ２００−２から受信する無線信号から把握される送信アンテナ数（当該無線信号に含まれる参照信号の数）に基づいて、ＢＣ−ＰＭＩのフィードバックに使用するコードブックを切り替える。これにより、ＢＣ−ＰＭＩを選択するための演算量を効率的に削減できる。
【０１４４】
ＵＥ１００−１は、ｅＮＢ２００−２から受信する無線信号から把握される無効な送信アンテナ番号をフィードバックしてもよい。ＵＥ１００−１は、有効な送信アンテナ番号のみを対象として、ＢＣ−ＰＭＩの候補の中から、フィードバックするＢＣ−ＰＭＩを選択するための演算を行う。例えば、ＵＥ１００−１は、４送信アンテナ用のコードブックを使用中に、アンテナ＃３及び＃４に対応する参照信号を受信しない場合には、アンテナ＃３及び＃４は無効とみなして、２送信アンテナ用のコードブックに切り替えてＢＣ−ＰＭＩを選択する。或いは、ＵＥ１００−１は、４送信アンテナ用のコードブックを使用中に、アンテナ＃３及び＃４に対応する参照信号を受信しない場合には、アンテナ＃３及び＃４は無効とみなして、４送信アンテナ用のコードブックのうちアンテナ＃１及び＃２のそれぞれのウェイトのみについて干渉レベルを計算して、ＢＣ−ＰＭＩを選択する。
【０１４５】
図１５は、本実施形態に係る動作具体例を示すシーケンス図である。第１実施形態及び第２実施形態と同様の動作については説明を適宜省略する。
【０１４６】
図１５に示すように、ステップＳ３０１において、ｅＮＢ２００−１は、ＢＣ−ＰＭＩのフィードバックを開始（ＯＮ）するようＵＥ１００−１に指示する。
【０１４７】
ステップＳ３０２において、ｅＮＢ２００−２は、４送信アンテナのそれぞれから参照信号を送信する。これらの参照信号はシャドウイングの影響を受けずに、ＵＥ１００−１は４送信アンテナ分の参照信号を受信する。
【０１４８】
ステップＳ３０３において、ＵＥ１００−１は、ｅＮＢ２００−２から４送信アンテナ分の参照信号を受信することから、４送信アンテナ用のコードブックを使用してＢＣ−ＰＭＩを選択する。
【０１４９】
ステップＳ３０４において、ＵＥ１００−１は、ステップＳ３０３で選択したＢＣ−ＰＭＩをフィードバックする。
【０１５０】
ステップＳ３０５において、ｅＮＢ２００−２は、４送信アンテナのそれぞれから参照信号を送信する。これらの参照信号はシャドウイングの影響を受けて、ＵＥ１００−１は２送信アンテナ分の参照信号のみを受信する。
【０１５１】
ステップＳ３０６において、ＵＥ１００−１は、ｅＮＢ２００−２から２送信アンテナ分の参照信号のみを受信することから、２送信アンテナ用のコードブックに切り替えることが可能と判断する。
【０１５２】
ステップＳ３０７において、ＵＥ１００−１は、無効な送信アンテナ番号（すなわち、ＢＣ−ＰＭＩ算出に影響の無いアンテナ番号）を特定する。
【０１５３】
ステップＳ３０８において、ＵＥ１００−１は、無効な送信アンテナ番号をｅＮＢ２００−１に通知（フィードバック）する。
【０１５４】
ステップＳ３０９において、ｅＮＢ２００−１は、２送信アンテナ用のコードブックの使用許可をＵＥ１００−１に通知する。
【０１５５】
ステップＳ３１０において、ＵＥ１００−１は、２送信アンテナ用のコードブックの使用許可に応じて、２送信アンテナ用のコードブックに切り替えてＢＣ−ＰＭＩを選択する。
【０１５６】
ステップＳ３１１において、ＵＥ１００−１は、ステップＳ３１０で選択したＢＣ−ＰＭＩをフィードバックする。
【０１５７】
ステップＳ３１２において、ｅＮＢ２００−２は、４送信アンテナのそれぞれから参照信号を送信する。これらの参照信号はシャドウイングの影響を受けずに、ＵＥ１００−１は４送信アンテナ分の参照信号を受信する。
【０１５８】
ステップＳ３１３において、ＵＥ１００−１は、ｅＮＢ２００−２から４送信アンテナ分の参照信号を受信することから、４送信アンテナ用のコードブックに切り替えることが可能と判断する。
【０１５９】
ステップＳ３１４において、ＵＥ１００−１は、コードブックの制限解除をｅＮＢ２００−１に通知（フィードバック）する。
【０１６０】
ステップＳ３１５において、ｅＮＢ２００−１は、ＵＥ１００−１からの通知に対する応答をＵＥ１００−１に送信する。
【０１６１】
ステップＳ３１６において、ＵＥ１００−１は、４送信アンテナ用のコードブックを使用してＢＣ−ＰＭＩを選択し、選択したＢＣ−ＰＭＩをフィードバックする。
【０１６２】
［第４実施形態］
以下、第４実施形態について、上述した第１実施形態乃至第３実施形態との相違点を主として説明する。
【０１６３】
本実施形態では、ｅＮＢ２００−１及びｅＮＢ２００−２は、ＢＣ−ＰＭＩのフィードバックの停止（ＯＦＦ）に応じて、ＣｏＭＰの方式をＣＢ−ＣｏＭＰからＣＳ（Ｃｏｏｒｄｉｎａｔｅｄ  Ｓｃｈｅｄｕｌｉｎｇ）−ＣｏＭＰに切り替える。ＣＳ−ＣｏＭＰは、複数のｅＮＢが協調してビームフォーミング／ヌルステアリングを行うのではなく、複数のｅＮＢが協調してスケジューリングを行う。すなわち、ＣＳ−ＣｏＭＰは、ＢＣ−ＰＭＩのフィードバックを必要としないＣｏＭＰの方式である。
【０１６４】
図１６は、本実施形態に係る動作具体例を示すシーケンス図である。ここでは、送信アンテナ数に基づくフィードバックＯＮ／ＯＦＦ判断を主として説明する。また、第１実施形態乃至第３実施形態と同様の動作については説明を適宜省略する。
【０１６５】
図１６に示すように、ステップＳ４０１において、ｅＮＢ２００−１（及びｅＮＢ２００−２）は、ＣＢ−ＣｏＭＰの運用を開始する。
【０１６６】
ステップＳ４０２において、ｅＮＢ２００−１は、ＢＣ−ＰＭＩのフィードバックを開始（ＯＮ）するようＵＥ１００−１に指示する。
【０１６７】
ステップＳ４０３において、ｅＮＢ２００−２は、２送信アンテナのそれぞれから参照信号を送信する。これらの参照信号はシャドウイングの影響を受けずに、ＵＥ１００−１は２送信アンテナ分の参照信号を受信する。
【０１６８】
ステップＳ４０４において、ＵＥ１００−１は、ｅＮＢ２００−１からの指示に応じてＢＣ−ＰＭＩのフィードバックを開始（ＯＮ）する。
【０１６９】
ステップＳ４０５において、ｅＮＢ２００−２は、２送信アンテナのそれぞれから参照信号を送信する。これらの参照信号はシャドウイングの影響を受けて、ＵＥ１００−１は１送信アンテナ分の参照信号のみを受信する。
【０１７０】
ステップＳ４０６において、ＵＥ１００−１は、ｅＮＢ２００−２から受信する参照信号に基づいて、ＢＣ−ＰＭＩのフィードバックを停止（ＯＦＦ）するか否かを判断する。ＵＥ１００−１は、ｅＮＢ２００−２が２アンテナ送信を行っているにもかかわらず、１送信アンテナ分の参照信号のみを受信することから、ＢＣ−ＰＭＩのフィードバックを停止（ＯＦＦ）すると判断する。
【０１７１】
ステップＳ４０７において、ＵＥ１００−１は、ＢＣ−ＰＭＩのフィードバック停止通知をｅＮＢ２００−１に送信する。
【０１７２】
ステップＳ４０８において、ｅＮＢ２００−１（及びｅＮＢ２００−２）は、ＣＢ−ＣｏＭＰの運用を終了する。
【０１７３】
ステップＳ４０９において、ｅＮＢ２００−１（及びｅＮＢ２００−２）は、ＣＳ−ＣｏＭＰの運用を開始する。
【０１７４】
ステップＳ４１０において、ｅＮＢ２００−２は、２送信アンテナのそれぞれから参照信号を送信する。これらの参照信号はシャドウイングの影響を受けずに、ＵＥ１００−１は２送信アンテナ分の参照信号を受信する。
【０１７５】
ステップＳ４１１において、ＵＥ１００−１は、ｅＮＢ２００−２から受信する参照信号に基づいて、ＢＣ−ＰＭＩのフィードバックを再開（ＯＮ）するか否かを判断する。ＵＥ１００−１は、ｅＮＢ２００−２が２アンテナ送信を行っており、且つ、２送信アンテナ分の参照信号を受信することから、ＢＣ−ＰＭＩのフィードバックを再開（ＯＮ）すると判断する。
【０１７６】
ステップＳ４１２において、ＵＥ１００−１は、ＢＣ−ＰＭＩのフィードバックを再開（ＯＮ）する。
【０１７７】
ステップＳ４１３において、ｅＮＢ２００−１（及びｅＮＢ２００−２）は、ＣＳ−ＣｏＭＰの運用を終了する。
【０１７８】
ステップＳ４１４において、ｅＮＢ２００−１（及びｅＮＢ２００−２）は、ＣＢ−ＣｏＭＰの運用を開始（再開）する。
【０１７９】
［その他の実施形態］
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１８０】
上述した各実施形態では、ＵＥ１００−１はＢＣ−ＰＭＩを複数フィードバックしていたが、ＢＣ−ＰＭＩを複数フィードバックする場合に限らず、ＢＣ−ＰＭＩを１つのみフィードバックしてもよい。
【０１８１】
上述した各実施形態では、ＣＢ−ＣｏＭＰにおいてＢＣ−ＰＭＩを使用するケースを説明した。しかしながら、ＢＣ−ＰＭＩに代えてＷＣ（Ｗｏｒｓｔ  Ｃｏｍｐａｎｉｏｎ）−ＰＭＩを使用してもよい。ＷＣ−ＰＭＩは、ｅＮＢ２００−２がＵＥ１００−１に与える干渉の影響が大きいプリコーダ行列（ＵＥ１００−１にビームが向くプリコーダ行列）を示す情報（インデックス）である。言い換えると、ＷＣ−ＰＭＩは、ＵＥ１００−１にとって好ましくないプリコーダ行列を示す情報（インデックス）である。この場合、ｅＮＢ２００−２は、ＵＥ１００−１からのＷＣ−ＰＭＩと一致しないＰＭＩをフィードバックする自セル内のＵＥ１００−２に対してＵＥ１００−１と同一の無線リソースを割り当てて、当該一致しないＰＭＩをＵＥ１００−２への送信に適用する。
【０１８２】
上述した各実施形態では、本発明をＣＢ−ＣｏＭＰに適用する場合について説明した。しかしながら、本発明は、ＣＢ−ＣｏＭＰに限らず、ＭＵ（Ｍｕｌｔｉ  Ｕｓｅｒ）−ＭＩＭＯ（Ｍｕｌｔｉｐｌｅ  Ｉｎｐｕｔ  Ｍｕｌｔｉｐｌｅ  Ｏｕｔｐｕｔ）にも適用可能である。ＭＵ−ＭＩＭＯは、下りリンク・マルチアンテナ伝送により複数のＵＥ１００を空間的に多重するものである。
【０１８３】
図１７及び図１８は、その他の実施形態に係る動作環境を示す図である。
【０１８４】
図１７に示すように、ＵＥ１００−１及びＵＥ１００−２は、ｅＮＢ２００のセルとの接続を確立している。すなわち、ＵＥ１００−１及びＵＥ１００−２は、ｅＮＢ２００のセルをサービングセルとして通信を行う。ｅＮＢ２００は、周波数利用効率を高めるために、ＭＵ−ＭＩＭＯを行う。具体的には、ｅＮＢ２００は、同一の無線リソースを用いてＵＥ１００−１及びＵＥ１００−２への送信を行う。
【０１８５】
ＵＥ１００−１は、ｅＮＢ２００に対する通常のフィードバック（ＰＭＩ、ＲＩ、及びＣＱＩ）に加えて、ＢＣ−ＰＭＩをｅＮＢ２００にフィードバックする。ｅＮＢ２００は、ＵＥ１００−１からフィードバックされたＢＣ−ＰＭＩと一致するＰＭＩをフィードバックするＵＥ１００−２に対して、ＵＥ１００−１と同一の無線リソースを割り当てる。そして、ｅＮＢ２００は、当該一致するＰＭＩに従ってＵＥ１００−２への送信を行う。
【０１８６】
その結果、図１８に示すように、ｅＮＢ２００は、ＵＥ１００−１にヌルを向けつつ、ＵＥ１００−２にビームを向けて、ＵＥ１００−２への送信を行うことができる。また、ｅＮＢ２００は、ＵＥ１００−１からフィードバックされた通常のＰＭＩに従ってＵＥ１００−１への送信を行う。その結果、ｅＮＢ２００は、ＵＥ１００−１にビームを向けることができる。
【０１８７】
このようなＭＵ−ＭＩＭＯの動作環境においても、上述した各実施形態と同様に、ＵＥ１００−１は、状況に応じてＢＣ−ＰＭＩのフィードバックを停止可能である。
【０１８８】
上述した各実施形態では、本発明をＣＢ−ＣｏＭＰに適用する場合について説明した。しかしながら、本発明は、ＣＢ−ＣｏＭＰに限らず、直接的な端末間通信であるＤ２Ｄ通信に適用可能である。以下、ＵＥ１００−２とＵＥ１００−２とが、コアネットワークを介した通信であるセルラ通信における下りリンク帯域を用いてＤ２Ｄ通信を行うケースと、セルラ通信における上りリンク帯域を用いてＤ２Ｄ通信を行うケースを説明する。
【０１８９】
（ａ）Ｄ２Ｄ通信（下りリンク帯域）
図１９及び図２０は、その他実施形態に係る動作環境（その１）を示す図である。
【０１９０】
図１９に示すように、ＵＥ１００−１、ＵＥ１００−２及びＵＥ１００−３は、ｅＮＢ２００のセルとの接続を確立している。また、ＵＥ１００−２及びＵＥ１００−３は、セルラ通信における下りリンク帯域を用いてＤ２Ｄ通信を行っている。ｅＮＢ２００は、Ｄ２Ｄ通信を制御する能力を有する。従って、ｅＮＢ２００は、Ｄ２Ｄ通信に用いられる無線リソースのスケジューリングを行ったり、後述するＰＭＩの情報の送信を行ったりして、Ｄ２Ｄ通信を制御する。
【０１９１】
図１９に示すように、ＵＥ１００−１は、ＢＣ−ＰＭＩをｅＮＢ２００にフィードバックする。ここで、ＢＣ−ＰＭＩは、上述した実施形態に係るＢＣ−ＰＭＩと異なり、Ｄ２Ｄ通信を行うＵＥ１００−３からＵＥ１００−２への送信時にＤ２Ｄ通信の相手端末でないＵＥ１００−１にヌルが向くプリコーダ行列を示す情報（インデックス）である。ＵＥ１００−１は、ＵＥ１００−３から受信する信号（例えば、参照信号）に基づいて、ＵＥ１００−３からの受信レベル（すなわち、干渉レベル）が低下するように、ＢＣ−ＰＭＩのフィードバックを行う。
【０１９２】
一方、ＵＥ１００−２は、ＰＭＩをｅＮＢ２００にフィードバックする。ここで、ＰＭＩは、上述した実施形態に係るＰＭＩと異なり、Ｄ２Ｄ通信の相手端末であるＵＥ１００−３からＵＥ１００−２への送信時にＵＥ１００−２にビームが向くプリコーダ行列を示す情報（インデックス）である。ＵＥ１００−２は、ＵＥ１００−３から受信する信号（例えば、参照信号）に基づいて、ＵＥ１００−３からの受信レベルが向上するように、ＰＭＩのフィードバックを行う。
【０１９３】
ｅＮＢ２００は、ＵＥ１００−１からフィードバックされたＢＣ−ＰＭＩとＵＥ１００−２からフィードバックされたＰＭＩとを照合する。ｅＮＢ２００は、当該ＢＣ−ＰＭＩと当該ＰＭＩとが一致した場合、当該ＰＭＩに従ってＵＥ１００−２へ送信することをＵＥ１００−３へ要求する。具体的には、ｅＮＢ２００は、ＵＥ１００−３からＵＥ１００−２への送信に用いられるＰＭＩを示す情報をＵＥ１００−３へ送信する。そして、ＵＥ１００−３は、ｅＮＢ２００から受信したＰＭＩに従って、ＵＥ１００−２への送信を行う。
【０１９４】
その結果、図２０に示すように、ＵＥ１００−３は、ＵＥ１００−１にヌルを向けつつ、ＵＥ１００−２にビームを向けて、ＵＥ１００−２への送信を行うことができる。
【０１９５】
このような動作環境においても、上述した各実施形態と同様に、ＵＥ１００−１は、状況に応じてＢＣ−ＰＭＩのフィードバックを停止可能である。
【０１９６】
なお、上述では、ＵＥ１００−２とＵＥ１００−３とがＤ２Ｄ通信を行っているケースを説明したが、ＵＥ１００−２とＵＥ１００−３とがＤ２Ｄ通信を開始する前のケースであってもよい。従って、例えば、ｅＮＢ２００は、ＵＥ１００−３からの参照信号に基づいて、ＵＥ１００−１からフィードバックされたＢＣ−ＰＭＩ及びＵＥ１００−２からフィードバックされたＰＭＩが一致した場合、当該ＰＭＩを示す情報をＵＥ１００−３へ送信する。すなわち、ｅＮＢ２００は、Ｄ２Ｄ通信を行うことが可能なＵＥ１００−３（すなわち、Ｄ２Ｄ通信能力を有するＵＥ１００−３）に、Ｄ２Ｄ通信において用いられるＰＭＩを示す情報を送信する。ＵＥ１００−３は、当該ＰＭＩに従って、Ｄ２Ｄ通信を開始する。これにより、ＵＥ１００−３は、ＵＥ１００−１にヌルを向けつつ、ＵＥ１００−２にビームを向けて、ＵＥ１００−２への送信を行うことができる。
【０１９７】
（ｂ）Ｄ２Ｄ通信（上りリンク帯域）
上述の（ａ）Ｄ２Ｄ通信（下りリンク帯域）と同様の部分は、説明を適宜省略する。図２１及び図２２は、その他実施形態に係る動作環境（その２）を示す図である。
【０１９８】
図２１に示すように、ＵＥ１００−２及びＵＥ１００−３は、セルラ通信における上りリンク帯域を用いてＤ２Ｄ通信を行っている。
【０１９９】
図２１に示すように、ＵＥ１００−２及びＵＥ１００−３のそれぞれは、ＰＭＩ及びＢＣ−ＰＭＩをｅＮＢ２００にフィードバックする。ここで、ＵＥ１００−２がフィードバックするＰＭＩは、ＵＥ１００−３からＵＥ１００−２への送信時にＵＥ１００−２にビームが向くプリコーダ行列を示す情報である。また、ＵＥ１００−２がフィードバックするＢＣ−ＰＭＩは、セルラ通信を行うＵＥ１００−１からｅＮＢ２００への送信時に、ＵＥ１００−２にヌルが向くプリコーダ行列を示す情報である。ＵＥ１００−２は、ＵＥ１００−１から受信する信号（例えば、参照信号）に基づいて、ＵＥ１００−１からの受信レベル（すなわち、干渉レベル）が低下するように、ＢＣ−ＰＭＩのフィードバックを行う。
【０２００】
同様に、ＵＥ１００−３がフィードバックするＰＭＩは、ＵＥ１００−２からＵＥ１００−３への送信時にＵＥ１００−３にビームが向くプリコーダ行列を示す情報である。また、ＵＥ１００−３がフィードバックするＢＣ−ＰＭＩは、ＵＥ１００−１からｅＮＢ２００への送信時に、ＵＥ１００−３にヌルが向くプリコーダ行列を示す情報である。
【０２０１】
また、ｅＮＢ２００は、ＵＥ１００−２から受信する信号に基づいて、ＵＥ１００−２からＵＥ１００−３への送信時に、ｅＮＢ２００にヌルが向くプリコーダ行列を示すＢＣ−ＰＭＩを算出する。同様に、ｅＮＢ２００は、ＵＥ１００−３から受信する信号に基づいて、ＵＥ１００−３からＵＥ１００−２への送信時に、ｅＮＢ２００にヌルが向くプリコーダ行列を示すＢＣ−ＰＭＩを算出する。さらに、ｅＮＢ２００は、ＵＥ１００−１から受信する信号に基づいて、ＵＥ１００−１からｅＮＢ２００への送信時に、ｅＮＢ２００にビームが向くプリコーダ行列を示すＰＭＩを算出する。
【０２０２】
次に、ｅＮＢ２００は、ＵＥ１００−２及びＵＥ１００−３のそれぞれからフィードバックされたＰＭＩ及びＢＣ−ＰＭＩと、ｅＮＢ２００が算出したＰＭＩ及びＢＣ−ＰＭＩとに基づいて、干渉回避の判断を行う。
【０２０３】
第１に、ｅＮＢ２００は、ＵＥ１００−２及びＵＥ１００−３のそれぞれからのＢＣ−ＰＭＩとｅＮＢ２００が算出したＰＭＩとを照合する。ｅＮＢ２００は、照合の結果、ＵＥ１００−２及びＵＥ１００−３の少なくとも一方のＢＣ−ＰＭＩとｅＮＢ２００が算出したＰＭＩとが一致した場合、ＵＥ１００−１からＵＥ１００−２及びＵＥ１００−３の少なくとも一方に対するＤ２Ｄ通信への干渉が回避可能と判断する。
【０２０４】
第２に、ｅＮＢ２００は、ＵＥ１００−２及びＵＥ１００−３のそれぞれからのＰＭＩとｅＮＢ２００が算出したＢＣ−ＰＭＩとを照合する。ｅＮＢ２００は、照合の結果、ＵＥ１００−２及びＵＥ１００−３の少なくとも一方のＰＭＩとｅＮＢ２００が算出したＢＣ−ＰＭＩとが一致した場合、ＵＥ１００−２及びＵＥ１００−３の少なくとも一方からセルラ通信への干渉が回避可能と判断する。
【０２０５】
ｅＮＢ２００は、上述の照合の結果に基づいて、無線リソースのスケジューリングを行う。
【０２０６】
（ａ）ｅＮＢ２００は、上述のセルラ通信及びＤ２Ｄ通信の干渉が回避可能と判断した場合（すなわち、ＵＥ１００−２（又はＵＥ１００−３）からのＢＣ−ＰＭＩとｅＮＢ２００が算出したＰＭＩとが一致し、且つ、ＵＥ１００−２（又はＵＥ１００−３）からのＰＭＩとｅＮＢ２００が算出したＢＣ−ＰＭＩとが一致した場合）、ＵＥ１００−１、ＵＥ１００−２及びＵＥ１００−３に共用の無線リソースを割り当てることができる。
【０２０７】
（ｂ）ｅＮＢ２００は、上述のＤ２Ｄ通信の干渉が回避可能と判断した場合（すなわち、ＵＥ１００−２（又はＵＥ１００−３）からのＢＣ−ＰＭＩとｅＮＢ２００が算出したＰＭＩとが一致した場合）で、且つ、Ｄ２Ｄ通信の干渉回避を優先するＤ２Ｄ優先規範に従ってスケジューリングする場合、ＵＥ１００−１、ＵＥ１００−２及びＵＥ１００−３に共用の無線リソースを割り当てることができる。一方、ｅＮＢ２００は、Ｄ２Ｄ優先規範に従ってスケジューリングしない場合、ＵＥ１００−１とＵＥ１００−２及びＵＥ１００−３とに異なる無線リソースを割り当てることができる。
【０２０８】
（ｃ）ｅＮＢ２００は、上述のセルラ通信の干渉が回避可能と判断した場合（すなわち、ＵＥ１００−２（又はＵＥ１００−３）からのＰＭＩとｅＮＢ２００が算出したＢＣ−ＰＭＩとが一致した場合）で、且つ、セルラ通信の干渉回避を優先するセルラ優先規範に従ってスケジューリングする場合、ＵＥ１００−１、ＵＥ１００−２及びＵＥ１００−３に共用の無線リソースを割り当てることができる。一方、ｅＮＢ２００は、セルラ優先規範に従ってスケジューリングしない場合、ＵＥ１００−１とＵＥ１００−２及びＵＥ１００−３とに異なる無線リソースを割り当てることができる。
【０２０９】
（ｄ）ｅＮＢ２００は、上述のセルラ通信及びＤ２Ｄ通信の干渉が回避不可能と判断した場合（すなわち、ＵＥ１００−２（又はＵＥ１００−３）からのＢＣ−ＰＭＩとｅＮＢ２００が算出したＰＭＩとが一致せず、且つ、ＵＥ１００−２（又はＵＥ１００−３）からのＰＭＩとｅＮＢ２００が算出したＢＣ−ＰＭＩとが一致しない場合）、ＵＥ１００−１とＵＥ１００−２及びＵＥ１００−３とに異なる無線リソースを割り当てることができる。なお、ｅＮＢ２００は、所定のポリシーに従って、ＵＥ１００−１、ＵＥ１００−２及びＵＥ１００−３に共用の無線リソースを割り当てることもできる。
【０２１０】
本実施形態において、ｅＮＢ２００は、ＵＥ１００−２からのＢＣ−ＰＭＩとｅＮＢ２００が算出したＰＭＩとが一致し、且つ、ＵＥ１００−２からのＰＭＩとｅＮＢ２００が算出したＢＣ−ＰＭＩとが一致したと仮定して説明を進める。
【０２１１】
次に、ｅＮＢ２００は、各ＵＥ１００（ＵＥ１００−１、ＵＥ１００−２及びＵＥ１００−３のそれぞれ）に割り当てた無線リソースを示す情報とＰＭＩを示す情報とを各ＵＥ１００に送信する。ＵＥ１００−１へ送信するＰＭＩを示す情報は、ＵＥ１００−１からのビームがｅＮＢ２００に向き、且つ、ＵＥ１００−１からのヌルがＵＥ１００−２に向くプリコーダ行列を示す情報である。また、ＵＥ１００−２及びＵＥ１００−３のそれぞれへ送信するＰＭＩを示す情報は、ＵＥ１００−３からのビームがＵＥ１００−２に向き、且つ、ＵＥ１００−３からのヌルがｅＮＢ２００に向くプリコーダ行列を示す情報である。
【０２１２】
各ＵＥ１００は、ｅＮＢ２００から受信した無線リソースを示す情報及びＰＭＩを示す情報に基づいて、ＵＥ１００−１は、ｅＮＢ２００へのデータの送信を行い、ＵＥ１００−２は、ＵＥ１００−３へのデータの送信を行い、ＵＥ１００−３は、ＵＥ１００−３からのデータの受信を行う。その結果、図２２に示すように、ＵＥ１００−１は、ＵＥ１００−２へヌルを向けつつ、ｅＮＢ２００にビームを向けて、ｅＮＢ２００への送信を行うことができる。また、ＵＥ１００−３は、ＵＥ１００−２へビームを向けつつ、ｅＮＢ２００にヌルを抜けて、ＵＥ１００−２への送信を行うことができる。
【０２１３】
このような動作環境においても、上述した各実施形態と同様に、ＵＥ１００−２及びＵＥ１００−３のそれぞれは、状況に応じてＢＣ−ＰＭＩのフィードバックを停止可能である。
【０２１４】
なお、上述の下りリンク帯域でＤ２Ｄ通信を行うケースと同様に、ＵＥ１００−２とＵＥ１００−３とがＤ２Ｄ通信を開始する前に上述の動作が行われてもよい。
【０２１５】
また、上述した実施形態では、ＵＥ１００−１が、ｅＮＢ２００に直接フィードバックしていたがこれに限られない。例えば、ＵＥ１００−１が、Ｄ２Ｄ通信を行う複数のＵＥ１００を代表してｅＮＢ２００との通信を行うアンカーＵＥを含むＤ２Ｄグループ内にて、Ｄ２Ｄ通信を行っている場合、ＵＥ１００−１は、ｅＮＢ２００にＢＣ−ＰＭＩを直接送信する代わりに、アンカーＵＥにＢＣ−ＰＭＩを送信してもよい。すなわち、ＵＥ１００−１は、アンカーＵＥを経由して、ＢＣ−ＰＭＩをｅＮＢ２００に送信してもよい。この場合、ＵＥ１００−１は、アンカーＵＥからの指示に応じてＢＣ−ＰＭＩのフィードバックを開始してもよい。同様に、ＵＥ１００−２は、アンカーＵＥを経由して、ＰＭＩをｅＮＢ２００に送信してもよいし、ＵＥ１００−３は、アンカーＵＥを経由して、ＰＭＩをｅＮＢ２００から受信してもよい。
【０２１６】
また、上述したＤ２Ｄ通信のケースにおいて、ｅＮＢ２００がプリコーダ行列に基づいて、ビームステアリング及びヌルステアリングの制御を行っていたが、これに限られない。例えば、ｅＮＢ２００は、セルラ通信を行うＵＥ１００−１からフィードバックしたＢＣ−ＰＭＩをアンカーＵＥに送信する。アンカーＵＥは、アンカーＵＥを含むＤ２Ｄグループ内のＵＥ１００−３からアンカーＵＥへフィードバックされたＰＭＩと、ｅＮＢ２００から受信したＢＣ−ＰＭＩと、を照合することによって、ビームステアリング及びヌルステアリングの制御を行ってもよい。従って、アンカーＵＥが、Ｄ２Ｄ通信を行うＵＥ１００に関して、ビームステアリング及びヌルステアリングの制御を行い、ｅＮＢ２００が、セルラ通信を行うＵＥ１００に関して、ビームステアリング及びヌルステアリングの制御を行ってもよい。
【０２１７】
上述した実施形態では、本発明をＬＴＥシステムに適用する一例を説明したが、ＬＴＥシステムに限定されるものではなく、ＬＴＥシステム以外のシステムに本発明を適用してもよい。
【０２１８】
なお、米国仮出願第６１／７２３０５２号（２０１２年１１月６日出願）の全内容が、参照により、本願明細書に組み込まれている。
【産業上の利用可能性】
【０２１９】
以上のように、本発明に係る移動通信システム、ユーザ端末及びプロセッサは、効率的なフィードバックを実現できるため、移動通信分野において有用である。
【図１】
2014073538.tif 000003
【図２】
2014073538.tif 000004
【図３】
2014073538.tif 000005
【図４】
2014073538.tif 000006
【図５】
2014073538.tif 000007
【図６】
2014073538.tif 000008
【図７】
2014073538.tif 000009
【図８】
2014073538.tif 000010
【図９】
2014073538.tif 000011
【図１０】
2014073538.tif 000012
【図１１】
2014073538.tif 000013
【図１２】
2014073538.tif 000014
【図１３】
2014073538.tif 000015
【図１４】
2014073538.tif 000016
【図１５】
2014073538.tif 000017
【図１６】
2014073538.tif 000018
【図１７】
2014073538.tif 000019
【図１８】
2014073538.tif 000020
【図１９】
2014073538.tif 000021
【図２０】
2014073538.tif 000022
【図２１】
2014073538.tif 000023
【図２２】
2014073538.tif 000024
【手続補正書】
【提出日】平成28年2月8日(2016.2.8)
【手続補正１】
【補正対象書類名】特許請求の範囲
【補正対象項目名】全文
【補正方法】変更
【補正の内容】
【特許請求の範囲】
【請求項１】
ノードからの指示に応じて、前記ノードに所定のプリコーダ行列情報のフィードバックを開始する制御部を備え、
前記所定のプリコーダ行列情報は、自ユーザ端末とは異なる他ユーザ端末への送信に適用される前記プリコーダ行列を決定するために使用され、
前記制御部は、前記指示に応じて前記フィードバックを開始した後において、前記ノードに隣接する隣接ノードから１送信アンテナ分の無線信号のみを受信すると判断した場合に、前記フィードバックを停止することを特徴とするユーザ端末。
【請求項２】
ノードからの指示に応じて、前記ノードに所定のプリコーダ行列情報のフィードバックを開始する制御部を備え、
前記所定のプリコーダ行列情報は、自ユーザ端末とは異なる他ユーザ端末への送信に適用される前記プリコーダ行列を決定するために使用され、
前記制御部は、前記指示に応じて前記フィードバックを開始した後において、前記ノードに隣接する隣接ノードに時分割複信方式が適用されていると判断した場合に、前記フィードバックを停止することを特徴とするユーザ端末。
【請求項３】
ノードからの指示に応じて、前記ノードに所定のプリコーダ行列情報のフィードバックを開始する制御部を備え、
前記所定のプリコーダ行列情報は、自ユーザ端末とは異なる他ユーザ端末への送信に適用される前記プリコーダ行列を決定するために使用され、
前記制御部は、前記指示に応じて前記フィードバックを開始した後において、前記ノードに隣接する隣接ノードがノード間インターフェイスをサポートしないと判断した場合に、前記フィードバックを停止することを特徴とするユーザ端末。
【請求項４】
ノードからの指示に応じて、前記ノードに所定のプリコーダ行列情報のフィードバックを開始する制御部を備え、
前記所定のプリコーダ行列情報は、自ユーザ端末とは異なる他ユーザ端末への送信に適用される前記プリコーダ行列を決定するために使用され、
前記制御部は、前記指示に応じて前記フィードバックを開始した後において、前記ノードに隣接する隣接ノードが、前記ノードと協調して下りリンクにおけるマルチアンテナ伝送を行う協調伝送をサポートしていないと判断した場合に、前記フィードバックを停止することを特徴とするユーザ端末。
【請求項５】
ノードからの指示に応じて、前記ノードに所定のプリコーダ行列情報のフィードバックを開始する制御部を備え、
前記所定のプリコーダ行列情報は、自ユーザ端末とは異なる他ユーザ端末への送信に適用される前記プリコーダ行列を決定するために使用され、
前記制御部は、前記指示に応じて前記フィードバックを開始した後において、前記ノードに隣接する隣接ノードから受信する無線信号から把握される無効な送信アンテナ番号をフィードバックすることを特徴とするユーザ端末。
【請求項６】
ノードと、
前記ノードからの指示に応じて、前記ノードに所定のプリコーダ行列情報のフィードバックを開始するユーザ端末と、を有し、
前記所定のプリコーダ行列情報は、前記ユーザ端末とは異なる他ユーザ端末への送信に適用される前記プリコーダ行列を決定するために使用され、
前記ユーザ端末は、前記指示に応じて前記フィードバックを開始した後において、前記フィードバックを停止し、
前記ノードは、前記フィードバックの停止に応じて、前記協調伝送の方式を切り替えることを特徴とする移動通信システム。
【請求項７】
ノードと、
前記ノードからの指示に応じて、前記ノードに所定のプリコーダ行列情報のフィードバックを開始する第１のユーザ端末と、を有し、
前記所定のプリコーダ行列情報は、第２のユーザ端末から第３のユーザ端末への直接的な端末間通信に適用されるプリコーダ行列を決定するために使用され、
前記ノードは、決定された前記プリコーダ行列を示す情報を前記第３のユーザ端末に送信することを特徴とする移動通信システム。
【請求項８】
ユーザ端末を制御するプロセッサであって、
ノードからの指示に応じて、前記ノードに所定のプリコーダ行列情報のフィードバックを開始する処理を実行し、
前記所定のプリコーダ行列情報は、前記ユーザ端末とは異なる他ユーザ端末への送信に適用される前記プリコーダ行列を決定するために使用され、
前記指示に応じて前記フィードバックを開始した後において、前記ノードに隣接する隣接ノードから１送信アンテナ分の無線信号のみを受信すると判断した場合に、前記フィードバックを停止する処理を実行することを特徴とするプロセッサ。
【請求項９】
ユーザ端末を制御するプロセッサであって、
ノードからの指示に応じて、前記ノードに所定のプリコーダ行列情報のフィードバックを開始する処理を実行し、
前記所定のプリコーダ行列情報は、前記ユーザ端末とは異なる他ユーザ端末への送信に適用される前記プリコーダ行列を決定するために使用され、
前記指示に応じて前記フィードバックを開始した後において、前記ノードに隣接する隣接ノードに時分割複信方式が適用されていると判断した場合に、前記フィードバックを停止する処理を実行することを特徴とするプロセッサ。
【請求項１０】
ユーザ端末を制御するプロセッサであって、
ノードからの指示に応じて、前記ノードに所定のプリコーダ行列情報のフィードバックを開始する処理を実行し、
前記所定のプリコーダ行列情報は、前記ユーザ端末とは異なる他ユーザ端末への送信に適用される前記プリコーダ行列を決定するために使用され、
前記指示に応じて前記フィードバックを開始した後において、前記ノードに隣接する隣接ノードがノード間インターフェイスをサポートしないと判断した場合に、前記フィードバックを停止する処理を実行することを特徴とするプロセッサ。
【請求項１１】
ユーザ端末を制御するプロセッサであって、
ノードからの指示に応じて、前記ノードに所定のプリコーダ行列情報のフィードバックを開始する処理を実行し、
前記所定のプリコーダ行列情報は、前記ユーザ端末とは異なる他ユーザ端末への送信に適用される前記プリコーダ行列を決定するために使用され、
前記指示に応じて前記フィードバックを開始した後において、前記ノードに隣接する隣接ノードが、前記ノードと協調して下りリンクにおけるマルチアンテナ伝送を行う協調伝送をサポートしていないと判断した場合に、前記フィードバックを停止する処理を実行することを特徴とするプロセッサ。
【請求項１２】
ユーザ端末を制御するプロセッサであって、
ノードからの指示に応じて、前記ノードに所定のプリコーダ行列情報のフィードバックを開始する処理を実行し、
前記所定のプリコーダ行列情報は、前記ユーザ端末とは異なる他ユーザ端末への送信に適用される前記プリコーダ行列を決定するために使用され、
前記指示に応じて前記フィードバックを開始した後において、前記ノードに隣接する隣接ノードから受信する無線信号から把握される無効な送信アンテナ番号をフィードバックする処理を実行することを特徴とするプロセッサ。
【手続補正２】
【補正対象書類名】明細書
【補正対象項目名】０００９
【補正方法】変更
【補正の内容】
【０００９】
一実施形態によれば、ユーザ端末は、ノードからの指示に応じて、前記ノードに所定のプリコーダ行列情報のフィードバックを開始する制御部を備える。前記所定のプリコーダ行列情報は、自ユーザ端末とは異なる他ユーザ端末への送信に適用される前記プリコーダ行列を決定するために使用される。前記制御部は、前記指示に応じて前記フィードバックを開始した後において、前記ノードに隣接する隣接ノードから１送信アンテナ分の無線信号のみを受信すると判断した場合に、前記フィードバックを停止する。
一実施形態によれば、ユーザ端末は、ノードからの指示に応じて、前記ノードに所定のプリコーダ行列情報のフィードバックを開始する制御部を備える。前記所定のプリコーダ行列情報は、自ユーザ端末とは異なる他ユーザ端末への送信に適用される前記プリコーダ行列を決定するために使用される。前記制御部は、前記指示に応じて前記フィードバックを開始した後において、前記ノードに隣接する隣接ノードに時分割複信方式が適用されていると判断した場合に、前記フィードバックを停止する。
一実施形態によれば、ユーザ端末は、ノードからの指示に応じて、前記ノードに所定のプリコーダ行列情報のフィードバックを開始する制御部を備える。前記所定のプリコーダ行列情報は、自ユーザ端末とは異なる他ユーザ端末への送信に適用される前記プリコーダ行列を決定するために使用される。前記制御部は、前記指示に応じて前記フィードバックを開始した後において、前記ノードに隣接する隣接ノードがノード間インターフェイスをサポートしないと判断した場合に、前記フィードバックを停止する。
一実施形態によれば、ユーザ端末は、ノードからの指示に応じて、前記ノードに所定のプリコーダ行列情報のフィードバックを開始する制御部を備える。前記所定のプリコーダ行列情報は、自ユーザ端末とは異なる他ユーザ端末への送信に適用される前記プリコーダ行列を決定するために使用される。前記制御部は、前記指示に応じて前記フィードバックを開始した後において、前記ノードに隣接する隣接ノードが、前記ノードと協調して下りリンクにおけるマルチアンテナ伝送を行う協調伝送をサポートしていないと判断した場合に、前記フィードバックを停止する。
一実施形態によれば、ユーザ端末は、ノードからの指示に応じて、前記ノードに所定のプリコーダ行列情報のフィードバックを開始する制御部を備える。前記所定のプリコーダ行列情報は、自ユーザ端末とは異なる他ユーザ端末への送信に適用される前記プリコーダ行列を決定するために使用される。前記制御部は、前記指示に応じて前記フィードバックを開始した後において、前記ノードに隣接する隣接ノードから受信する無線信号から把握される無効な送信アンテナ番号をフィードバックする。
一実施形態によれば、移動通信システムは、ノードと、前記ノードからの指示に応じて、前記ノードに所定のプリコーダ行列情報のフィードバックを開始するユーザ端末と、を有する。前記所定のプリコーダ行列情報は、前記ユーザ端末とは異なる他ユーザ端末への送信に適用される前記プリコーダ行列を決定するために使用される。前記ユーザ端末は、前記指示に応じて前記フィードバックを開始した後において、前記フィードバックを停止する。前記ノードは、前記フィードバックの停止に応じて、前記協調伝送の方式を切り替える。
一実施形態によれば、移動通信システムは、ノードと、前記ノードからの指示に応じて、前記ノードに所定のプリコーダ行列情報のフィードバックを開始する第１のユーザ端末と、を有する。前記所定のプリコーダ行列情報は、第２のユーザ端末から第３のユーザ端末への直接的な端末間通信に適用されるプリコーダ行列を決定するために使用される。前記ノードは、決定された前記プリコーダ行列を示す情報を前記第３のユーザ端末に送信する。
一実施形態によれば、プロセッサは、ユーザ端末を制御するプロセッサである。前記プロセッサは、ノードからの指示に応じて、前記ノードに所定のプリコーダ行列情報のフィードバックを開始する処理を実行する。前記所定のプリコーダ行列情報は、前記ユーザ端末とは異なる他ユーザ端末への送信に適用される前記プリコーダ行列を決定するために使用される。前記プロセッサは、前記指示に応じて前記フィードバックを開始した後において、前記ノードに隣接する隣接ノードから１送信アンテナ分の無線信号のみを受信すると判断した場合に、前記フィードバックを停止する処理を実行する。
一実施形態によれば、プロセッサは、ユーザ端末を制御するプロセッサである。前記プロセッサは、ノードからの指示に応じて、前記ノードに所定のプリコーダ行列情報のフィードバックを開始する処理を実行する。前記所定のプリコーダ行列情報は、前記ユーザ端末とは異なる他ユーザ端末への送信に適用される前記プリコーダ行列を決定するために使用される。前記プロセッサは、前記指示に応じて前記フィードバックを開始した後において、前記ノードに隣接する隣接ノードに時分割複信方式が適用されていると判断した場合に、前記フィードバックを停止する処理を実行する。
一実施形態によれば、プロセッサは、ユーザ端末を制御するプロセッサである。前記プロセッサは、ノードからの指示に応じて、前記ノードに所定のプリコーダ行列情報のフィードバックを開始する処理を実行する。前記所定のプリコーダ行列情報は、前記ユーザ端末とは異なる他ユーザ端末への送信に適用される前記プリコーダ行列を決定するために使用される。前記プロセッサは、前記指示に応じて前記フィードバックを開始した後において、前記ノードに隣接する隣接ノードがノード間インターフェイスをサポートしないと判断した場合に、前記フィードバックを停止する処理を実行する。
一実施形態によれば、プロセッサは、ユーザ端末を制御するプロセッサである。前記プロセッサは、ノードからの指示に応じて、前記ノードに所定のプリコーダ行列情報のフィードバックを開始する処理を実行する。前記所定のプリコーダ行列情報は、前記ユーザ端末とは異なる他ユーザ端末への送信に適用される前記プリコーダ行列を決定するために使用される。前記プロセッサは、前記指示に応じて前記フィードバックを開始した後において、前記ノードに隣接する隣接ノードが、前記ノードと協調して下りリンクにおけるマルチアンテナ伝送を行う協調伝送をサポートしていないと判断した場合に、前記フィードバックを停止する処理を実行する。
一実施形態によれば、プロセッサは、ユーザ端末を制御するプロセッサである。前記プロセッサは、ノードからの指示に応じて、前記ノードに所定のプリコーダ行列情報のフィードバックを開始する処理を実行する。前記所定のプリコーダ行列情報は、前記ユーザ端末とは異なる他ユーザ端末への送信に適用される前記プリコーダ行列を決定するために使用される。前記プロセッサは、前記指示に応じて前記フィードバックを開始した後において、前記ノードに隣接する隣接ノードから受信する無線信号から把握される無効な送信アンテナ番号をフィードバックする処理を実行する。
【手続補正３】
【補正対象書類名】図面
【補正対象項目名】図１６
【補正方法】変更
【補正の内容】
【図１６】
2014073538.tif 000025
【国際調査報告】
2014073538.tif 000026
2014073538.tif 000027
2014073538.tif 000028
2014073538.tif 000029